(57)【要約】  ３次元映像表示装置（１０）は、観視対象とする３次元映像表示画面を変更しながら、複数の３次元映像表示画面を観視するユーザの観視状態が、所定時間あたり所定の回数以上変化したか否かを検出する視聴行動検出部（３００）と、視聴行動検出部（３００）が、ユーザの観視状態が所定時間あたり所定回数以上変化したことを検出した場合に、画像表示部（６００）に表示する３次元映像のユーザによる観視を制限するための処理を行う制御部（５００）とを備える。
2014010191.tif 000002
【特許請求の範囲】
【請求項１】
観視対象とする３次元映像表示画面を変更しながら、複数の３次元映像表示画面を観視するユーザの観視状態が、所定時間あたり所定回数以上変化したか否かを検出する視聴行動検出部と、
前記視聴行動検出部が前記ユーザの観視状態が前記所定時間あたり前記所定回数以上変化したことを検出した場合に、画像表示部に表示する３次元映像のユーザによる観視を制限するための処理を行う制御部と
を備える３次元映像表示装置。
【請求項２】
さらに、
前記ユーザの顔を撮像するカメラを備え、
前記視聴行動検出部は、
前記カメラで撮像された顔画像から、前記顔の角度を計算する顔角度計算部と、
前記顔角度計算部が計算した前記顔の角度から、前記ユーザが前記３次元映像表示画面を観視しているか否かを判定する状態判定部と、
前記状態判定部による判定結果に基づいて、前記ユーザの観視状態が前記所定時間あたり前記所定回数以上変化したか否かを検出する高頻度変化検出部と
を有する
請求項１記載の３次元映像表示装置。
【請求項３】
さらに、
ユーザが装着する専用のメガネに設置された発光部が発光する光を受光する受光部を備え、
前記視聴行動検出部は、
前記発光部が発光した光の前記受光部への入射角を計測する入射角計測部と、
前記入射角計測部が計測した前記入射角から、前記ユーザが前記３次元映像表示画面を観視しているか否かを判定する状態判定部と、
前記状態判定部による判定結果に基づいて、前記ユーザの観視状態が前記所定時間あたり前記所定回数以上変化したか否かを検出する高頻度変化検出部と
を有する
請求項１記載の３次元映像表示装置。
【請求項４】
前記発光部は、円形の光を発光し、
前記入射角計測部は、前記受光部が受光した光の形状から、前記発光部が発光した光の前記受光部への入射角を計測する
請求項３記載の３次元映像表示装置。
【請求項５】
さらに、
前記ユーザの顔を撮像するカメラを備え、
複数の３次元映像表示装置が、前記複数の３次元映像表示画面を有し、
前記視聴行動検出部は、
前記カメラで撮像された顔画像から、前記顔画像の特徴量を抽出する顔抽出部と、
前記カメラで撮像された顔画像から、前記顔の角度を計算する顔角度計算部と、
前記顔角度計算部が計算した前記顔の角度から、前記ユーザが前記３次元映像表示画面を観視しているか否かを判定する状態判定部と、
他の３次元映像表示装置から、顔画像の特徴量と、ユーザが前記他の３次元映像表示装置の３次元映像表示画面を観視しているか否かを示す判定結果とを受信する受信部と、
前記顔抽出部が抽出した前記顔画像の特徴量と前記受信部が受信した前記顔画像の特徴量とを比較することにより、同一のユーザが前記３次元映像表示装置の３次元映像表示画面と前記他の３次元映像表示装置の３次元映像表示画面とを観視しているか否かを判断し、前記同一のユーザが前記３次元映像表示装置の３次元映像表示画面と前記他の３次元映像表示装置の３次元映像表示画面とを観視している場合に、前記状態判定部による判定結果と前記受信部が受信した前記判定結果とに基づいて、前記同一のユーザの観視状態が前記所定時間あたり前記所定回数以上変化したか否かを検出する高頻度変化検出部と
を有する
請求項１記載の３次元映像表示装置。
【請求項６】
さらに、
ユーザが装着する専用のメガネに設置された発光部が発光する光であって、メガネを識別可能な発光パタンを有する光を受光する受光部を備え、
複数の３次元映像表示装置が、前記複数の３次元映像表示画面を有し、
前記視聴行動検出部は、
前記受光部が受光した光の発光パタンからメガネを識別するメガネ特定部と、
前記発光部が発光した光の前記受光部への入射角を計測する入射角計測部と、
前記入射角計測部が計測した前記入射角から、前記ユーザが前記３次元映像表示画面を観視しているか否かを判定する状態判定部と、
他の３次元映像表示装置から、前記他の３次元映像表示装置の３次元映像表示画面を観視しているユーザが装着しているメガネの識別結果と、前記他の３次元映像表示装置の３次元映像表示画面を観視しているか否かを示す判定結果とを受信する受信部と、
前記メガネ特定部による識別結果と前記受信部が受信した前記識別結果とを比較することにより、同一のユーザが前記３次元映像表示装置の３次元映像表示画面と前記他の３次元映像表示装置の３次元映像表示画面とを観視しているか否かを判断し、前記同一のユーザが前記３次元映像表示装置の３次元映像表示画面と前記他の３次元映像表示装置の３次元映像表示画面とを観視している場合に、前記状態判定部による判定結果と前記受信部が受信した前記判定結果とに基づいて、前記同一のユーザの観視状態が前記所定時間あたり前記所定回数以上変化したか否かを検出する高頻度変化検出部と
を有する
請求項１記載の３次元映像表示装置。
【請求項７】
前記制御部は、前記視聴行動検出部が、前記ユーザの観視状態が前記所定時間あたり前記所定回数以上変化したことを検出した場合に、前記画像表示部に表示する３次元映像を２次元映像に変換して表示する
請求項１〜６のいずれか１項に記載の３次元映像表示装置。
【請求項８】
前記制御部は、前記視聴行動検出部が、前記ユーザの観視状態が前記所定時間あたり前記所定回数以上変化したことを検出した場合に、前記画像表示部に３次元映像を見ることへの注意喚起のメッセージを表示する
請求項１〜６のいずれか１項に記載の３次元映像表示装置。
【請求項９】
前記受信部は、さらに、前記他の３次元映像表示装置から、前記３次元映像表示装置が表示する３次元映像の奥行き情報を受信し、
前記制御部は、前記視聴行動検出部が前記ユーザの観視状態が前記所定時間あたり前記所定回数以上変化したことを検出し、かつ前記画像表示部に表示する３次元映像の奥行き情報と前記他の３次元映像表示装置が表示する３次元映像の奥行き情報との差が所定の値以上の場合にのみ、前記画像表示部に表示する３次元映像のユーザによる観視を制限するための処理を行う
請求項５または６に記載の３次元映像表示装置。
【請求項１０】
観視対象とする３次元映像表示装置を変更しながら、複数の３次元映像表示画面を観視するユーザの観視状態が、所定時間あたり所定回数以上変化したか否かを検出する視聴行動検出ステップと、
前記視聴行動検出ステップにおいて前記ユーザの観視状態が前記所定時間あたり前記所定回数以上変化したことが検出された場合に、画像表示部に表示する３次元映像のユーザによる観視を制限するための処理を行う制御ステップと
を含む３次元映像表示方法。
【請求項１１】
請求項１０記載の３次元映像表示方法をコンピュータに実行させるためのプログラム。
【発明の詳細な説明】
【技術分野】
【０００１】
本発明は、３次元映像を出力する３次元映像表示装置および３次元映像表示方法に関する。
【背景技術】
【０００２】
３次元映像の視聴時において、３次元映像の被写体の奥行きの変化に対して、眼は追従して動作する。【０００３】
特許文献１には、３次元映像内のシーンチェンジを検出して、シーンチェンジ時に奥行きを滑らかに遷移させることが記載されている。【０００４】
特許文献２には、複数の映像コンテンツをマルチ画面に表示する場合に、ユーザが指定した映像コンテンツは３次元で表示し、ユーザが指定しない映像コンテンツは２次元で表示することが記載されている。
【先行技術文献】
【特許文献】
【０００５】
【特許文献１】特開２０１０−２５８７２３号公報
【特許文献２】特開２０１１−２４９８５９号公報
【特許文献３】特開２００７−２５７０８７号公報
【非特許文献】
【０００６】
【非特許文献１】特許庁標準技術集、「バイオメトリック照合の入力・認識」、技術分類５−１−２  顔／照合・判定技術／特徴量型、技術名称５−１−２−１固有顔法、２００５年
【非特許文献２】武岡さおり他、「個人認証のための顔画像抽出と顔方向の自動認識」、名古屋女子大学紀要第５０号、ｐ１４５―ｐ１５１、２００４年
【非特許文献３】山添他、「単眼カメラを用いた視線推定のための三次元眼球モデルの自動キャリブレーション」、電子情報通信学会論文誌Ｄ  Ｊ９４−Ｄ巻６号、ｐ９９８―ｐ１００６、２０１１年
【非特許文献４】テレビ東京ホームページ内「アニメ番組等の映像効果に関する製作ガイドライン」（ＵＲＬ：http://www.tv-tokyo.co.jp/main/yoriyoi/eizoukouka.html）
【非特許文献５】３Ｄコンソーシアム（３ＤＣ）安全ガイドライン部会「３ＤＣ安全ガイドライン」２０１０年４月２０日改定
【発明の概要】
【発明が解決しようとする課題】
【０００７】
しかしながら、特許文献１に記載の方法では、ユーザがそれぞれ異なる３次元映像を表示する複数の３次元映像表示装置を、観視対象とする３次元映像表示画面を変更しながら見る時には、奥行きを滑らかに遷移させることができない。【０００８】
また、ユーザが、観視対象とする３次元映像表示画面を変更しながら、それぞれ異なる３次元映像を表示する複数の３次元映像表示画面を見ることは、３次元映像を視聴するユーザの視覚系への大きな負荷となりうる。【０００９】
特許文献２に記載の方法についても、マルチ画面中の選択画面を次々に切り替えていく場合には、異なる奥行きの３次元映像を次々表示していくことになり、観視対象とする３次元映像表示画面を変更しながら、それぞれ異なる３次元映像を表示する複数の３次元映像表示画面を見るのと同様に、ユーザの視覚系への大きな負荷となる。【００１０】
このように、従来の方法では、観視対象とする３次元映像表示画面を変更しながら、それぞれ異なる３次元映像を表示する複数の３次元映像表示画面を見る場合に、３次元映像を視聴するユーザの眼の負荷が増加し、眼が疲労するという課題を有している。【００１１】
本開示は、上述の課題を解決するためになされたものであり、観視対象とする３次元映像表示画面を変更しながら、それぞれ異なる３次元映像を表示する複数の３次元映像表示画面を見る場合のユーザの眼の疲労を軽減する３次元映像表示装置および３次元映像表示方法を提供する。
【課題を解決するための手段】
【００１２】
本開示の一態様に係る３次元映像表示装置は、観視対象とする３次元映像表示画面を変更しながら、複数の３次元映像表示画面を観視するユーザの観視状態が、所定時間あたり所定の回数以上変化したか否かを検出する視聴行動検出部と、前記視聴行動検出部が前記ユーザの観視状態が前記所定時間あたり前記所定回数以上変化したことを検出した場合に、画像表示部に表示する３次元映像のユーザによる観視を制限するための処理を行う制御部とを備える。【００１３】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１４】
本開示によると、観視対象とする３次元映像表示画面を変更しながら、それぞれ異なる３次元映像を表示する複数の３次元映像表示画面を見る場合のユーザの眼の疲労を軽減することができる。
【図面の簡単な説明】
【００１５】
【図１】図１は、実施の形態１における３次元映像表示装置の構成の一例を示すブロック図である。
【図２】図２は、実施の形態１における映像情報蓄積部に蓄積された３次元映像の一例を示す図である。
【図３】図３は、実施の形態１における３次元映像表示装置の動作の一例を示すフローチャートである。
【図４】図４は、実施の形態１における複数の３次元映像表示装置をユーザが視聴する状態の一例を示す模式図である。
【図５】図５は、コンテンツが表示されている状態の一例を示す模式図であり、（ａ）は奥行き量が画面よりユーザ側にあるコンテンツが表示されている状態の一例を示し、（ｂ）は奥行き量が画面より奥にあるコンテンツが表示されている状態の一例を示す図である。
【図６】図６は、実施の形態１における３次元映像表示装置の詳細な構成の一例を示すブロック図である。
【図７】図７は、実施の形態１における３次元映像表示装置の詳細な動作の一例を示すフローチャートである。
【図８】図８は、実施の形態１におけるユーザの顔の角度を示す模式図である。
【図９】図９は、実施の形態１における顔記憶部に記憶されたデータの一例を示す図である。
【図１０Ａ】図１０Ａは、実施の形態１における複数の３次元映像表示装置をユーザが視聴する状態の一例を示す模式図である。
【図１０Ｂ】図１０Ｂは、ある３次元映像表示装置を見ているユーザの顔画像の一例を示す図である。
【図１０Ｃ】図１０Ｃは、他の３次元映像表示装置を見ているユーザの顔画像の一例を示す図である。
【図１１】図１１は、注意喚起のメッセージを表示する画面の一例を示す図である。
【図１２】図１２は、実施の形態１の画像表示部の構成の一例を示すブロック図である。
【図１３】図１３は、実施の形態１の画像表示部の構成の一例を示すブロック図である。
【図１４】図１４は、実施の形態１の画像表示部の構成の一例を示すブロック図である。
【図１５】図１５は、実施の形態２における複数の３次元映像表示装置をユーザが視聴する状態の一例を示す模式図である。
【図１６】図１６は、実施の形態２における３次元映像表示装置の構成の一例を示すブロック図である。
【図１７】図１７は、実施の形態２における顔記憶部に記憶されるデータの一例を示す図である。
【図１８】図１８は、実施の形態２における３次元映像表示装置の詳細な動作の一例を示すフローチャートである。
【図１９Ａ】図１９Ａは、受光部が画面平面に対して垂直方向から受けた光の形状の一例を示す図である。
【図１９Ｂ】図１９Ｂは、受光部が画面平面に対して角度θの方向から受けた光の形状の一例を示す図である。
【図２０】図２０は、実施の形態３における複数の３次元映像表示装置をユーザが視聴する状態の一例を示す模式図である。
【図２１】図２１は、実施の形態３における３次元映像表示装置の構成の一例を示すブロック図である。
【図２２】図２２は、実施の形態３における３次元映像表示装置の動作の一例を示すフローチャートである。
【図２３】図２３は、実施の形態３における３次元映像表示装置の動作の一部の一例を示すフローチャートである。
【図２４】図２４は、実施の形態３における通信部が通信する信号の構成の一例を示す図である。
【図２５】図２５は、実施の形態３における３次元映像表示装置の動作の一部の一例を示すフローチャートである。
【図２６】図２６は、実施の形態３における履歴記憶部に記憶されるデータの一例を示す図である。
【図２７】図２７は、実施の形態４における３次元映像表示装置の構成の一例を示すブロック図である。
【図２８】図２８は、実施の形態４における３次元映像表示装置の動作の一部の一例を示すフローチャートである。
【図２９】図２９は、実施の形態４における通信部が通信する信号の構成の一例を示す図である。
【図３０】図３０は、実施の形態４における履歴記憶部に記憶されるデータの一例を示す図である。
【図３１】図３１は、実施の形態３の変形例における３次元映像表示装置の構成の一例を示すブロック図である。
【図３２】図３２は、実施の形態３の変形例における奥行き情報蓄積部に記憶されるデータの一例を示す図である。
【図３３】図３３は、実施の形態３の変形例における３次元映像表示装置の動作の一部の一例を示すフローチャートである。
【図３４】図３４は、実施の形態３の変形例における通信部が通信する信号の構成の一例を示す図である。
【発明を実施するための形態】
【００１６】
本開示の一態様に係る３次元映像表示装置は、観視対象とする３次元映像表示画面を変更しながら、複数の３次元映像表示画面を観視するユーザの観視状態が、所定時間あたり所定の回数以上変化したか否かを検出する視聴行動検出部と、前記視聴行動検出部が前記ユーザの観視状態が前記所定時間あたり前記所定回数以上変化したことを検出した場合に、画像表示部に表示する３次元映像のユーザによる観視を制限するための処理を行う制御部とを備える。
【００１７】
これにより、ユーザの視聴行動による頻繁なシーンチェンジにより奥行きの変化が頻繁に発生する、疲労しやすい状態を回避することができ、ユーザ行動によって起るユーザの疲労を軽減することができる。
【００１８】
例えば、上述の３次元映像表示装置は、さらに、前記ユーザの顔を撮像するカメラを備え、前記視聴行動検出部は、前記カメラで撮像された顔画像から、前記顔の角度を計算する顔角度計算部と、前記顔角度計算部が計算した前記顔の角度から、前記ユーザが前記３次元映像表示画面を観視しているか否かを判定する状態判定部と、前記状態判定部による判定結果に基づいて、前記ユーザの観視状態が前記所定時間あたり前記所定回数以上変化したか否かを検出する高頻度変化検出部とを有する。
【００１９】
また、上述の３次元映像表示装置は、さらに、ユーザが装着する専用のメガネに設置された発光部が発光する光を受光する受光部を備え、前記視聴行動検出部は、前記発光部が発光した光の前記受光部への入射角を計測する入射角計測部と、前記入射角計測部が計測した前記入射角から、前記ユーザが前記３次元映像表示画面を観視しているか否かを判定する状態判定部と、前記状態判定部による判定結果に基づいて、前記ユーザの観視状態が前記所定時間あたり前記所定回数以上変化したか否かを検出する高頻度変化検出部とを有していても良い。
【００２０】
具体的には、前記発光部は、円形の光を発光し、前記入射角計測部は、前記受光部が受光した光の形状から、前記発光部が発光した光の前記受光部への入射角を計測しても良い。
【００２１】
また、上述の３次元映像表示装置は、さらに、前記ユーザの顔を撮像するカメラを備え、複数の３次元映像表示装置が、前記複数の３次元映像表示画面を有し、前記視聴行動検出部は、前記カメラで撮像された顔画像から、前記顔画像の特徴量を抽出する顔抽出部と、前記カメラで撮像された顔画像から、前記顔の角度を計算する顔角度計算部と、前記顔角度計算部が計算した前記顔の角度から、前記ユーザが前記３次元映像表示画面を観視しているか否かを判定する状態判定部と、他の３次元映像表示装置から、顔画像の特徴量と、ユーザが前記他の３次元映像表示装置の３次元映像表示画面を観視しているか否かを示す判定結果とを受信する受信部と、前記顔抽出部が抽出した前記顔画像の特徴量と前記受信部が受信した前記顔画像の特徴量とを比較することにより、同一のユーザが前記３次元映像表示装置の３次元映像表示画面と前記他の３次元映像表示装置の３次元映像表示画面とを観視しているか否かを判断し、前記同一のユーザが前記３次元映像表示装置の３次元映像表示画面と前記他の３次元映像表示装置の３次元映像表示画面とを観視している場合に、前記状態判定部による判定結果と前記受信部が受信した前記判定結果とに基づいて、前記同一のユーザの観視状態が前記所定時間あたり前記所定回数以上変化したか否かを検出する高頻度変化検出部とを有していてもよい。
【００２２】
３次元映像を表示している３次元映像表示装置が近接して複数台存在する場合に、３次元映像表示装置の間で通信を行い、ユーザが、観視対象とする３次元映像表示画面を変更しながら、それぞれの３次元映像表示装置に表示された３次元映像を観視する行動を高頻度に行っている状況を正確に検出することができる。これにより、映像と実空間とを交互に見るような負荷の小さい場合には処理をせず、３次元映像を交互に見るという、ユーザの視聴行動による頻繁なシーンチェンジにより奥行きの変化が頻繁に発生する、疲労しやすい状態のみを回避することができ、ユーザ行動によって起るユーザの疲労を軽減することができる。
【００２３】
また、上述の３次元映像表示装置は、さらに、ユーザが装着する専用のメガネに設置された発光部が発光する光であって、メガネを識別可能な発光パタンを有する光を受光する受光部を備え、複数の３次元映像表示装置が、前記複数の３次元映像表示画面を有し、前記視聴行動検出部は、前記受光部が受光した光の発光パタンからメガネを識別するメガネ特定部と、前記発光部が発光した光の前記受光部への入射角を計測する入射角計測部と、前記入射角計測部が計測した前記入射角から、前記ユーザが前記３次元映像表示画面を観視しているか否かを判定する状態判定部と、他の３次元映像表示装置から、前記他の３次元映像表示装置の３次元映像表示画面を観視しているユーザが装着しているメガネの識別結果と、前記他の３次元映像表示装置の３次元映像表示画面を観視しているか否かを示す判定結果とを受信する受信部と、前記メガネ特定部による識別結果と前記受信部が受信した前記識別結果とを比較することにより、同一のユーザが前記３次元映像表示装置の３次元映像表示画面と前記他の３次元映像表示装置の３次元映像表示画面とを観視しているか否かを判断し、前記同一のユーザが前記３次元映像表示装置の３次元映像表示画面と前記他の３次元映像表示装置の３次元映像表示画面とを観視している場合に、前記状態判定部による判定結果と前記受信部が受信した前記判定結果とに基づいて、前記同一のユーザの観視状態が前記所定時間あたり前記所定回数以上変化したか否かを検出する高頻度変化検出部とを有していてもよい。
【００２４】
３次元映像を表示している３次元映像表示装置が近接して複数台存在する場合に、３次元映像表示装置の間で通信を行い、ユーザが、観視対象とする３次元映像表示画面を変更しながら、それぞれの３次元映像表示装置に表示された３次元映像を観視する行動を高頻度に行っている状況をメガネの識別結果の照合により正確に検出することができる。これにより、映像と実空間とを交互に見るような負荷の小さい状態に対しては処理をせず、３次元映像を交互に見るという、ユーザの視聴行動による頻繁なシーンチェンジにより奥行きの変化が頻繁に発生し、疲労しやすい状態のみを回避することができ、ユーザの３次元映像視聴をできるだけ邪魔せずに、ユーザ行動によって起るユーザの疲労を軽減することができる。
【００２５】
具体的には、前記制御部は、前記視聴行動検出部が、前記ユーザの観視状態が前記所定時間あたり前記所定回数以上変化したことを検出した場合に、前記画像表示部に表示する３次元映像を２次元映像に変換して表示しても良い。
【００２６】
また、前記制御部は、前記視聴行動検出部が、前記ユーザの観視状態が前記所定時間あたり前記所定回数以上変化したことを検出した場合に、前記画像表示部に３次元映像を見ることへの注意喚起のメッセージを表示しても良い。
【００２７】
また、前記受信部は、さらに、前記他の３次元映像表示装置から、前記３次元映像表示装置が表示する３次元映像の奥行き情報を受信し、前記制御部は、前記視聴行動検出部が前記ユーザの観視状態が前記所定時間あたり前記所定回数以上変化したことを検出し、かつ前記画像表示部に表示する３次元映像の奥行き情報と前記他の３次元映像表示装置が表示する３次元映像の奥行き情報との差が所定の値以上の場合にのみ、前記画像表示部に表示する３次元映像のユーザによる観視を制限するための処理を行っても良い。
【００２８】
３次元映像を表示している３次元映像表示装置が近接して複数台存在する場合に、３次元映像表示装置の間で通信を行う。それぞれの３次元映像表示装置が表示している映像の奥行きに差があり、ユーザが、観視対象とする３次元映像表示画面を変更しながら、複数の３次元映像表示画面を観視した場合に疲労しやすい状態である場合にのみ、３次元映像の観視を制限することができる。これにより、ユーザの視聴行動による頻繁なシーンチェンジにより奥行きの変化が頻繁に発生する、疲労しやすい状態のみを回避し、観視対象とする３次元映像表示画面を変更しながら、複数の３次元映像表示画面を見ても疲労が起りにくい状態の場合には３次元映像を視聴する楽しみや利便を妨げないようにすることができる。
【００２９】
なお、これらの全般的または具体的な態様は、システム、方法、集積回路、コンピュータプログラムまたはコンピュータ読取可能なＣＤ−ＲＯＭなどの記録媒体で実現されてもよく、システム、方法、集積回路、コンピュータプログラムまたは記録媒体の任意な組み合わせで実現されてもよい。
【００３０】
以下、本開示の一態様に係る３次元映像表示装置について、図面を参照しながら具体的に説明する。
【００３１】
なお、以下で説明する実施の形態は、いずれも本発明の一具体例を示すものである。以下の実施の形態で示される数値、形状、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態１）
本実施の形態では、３次元映像を視聴するユーザが、それぞれ異なる３次元映像を表示する複数の３次元映像表示装置を交互に見ている状態を検出し、ユーザが注視する３次元映像表示装置を変える前後の映像の奥行き差を減少させる処理を行う３次元映像表示装置について説明する。なお、３次元映像表示装置が３台以上ある場合には、ユーザが３次元映像表示装置を見る順番は限定されるものではなく、３次元映像表示装置を見る順番はランダムである。
【００３３】
また、以下では、ユーザが、複数の３次元映像表示装置を交互に見ている状態を想定して説明を行うが、観視対象とする３次元映像を変更しながら、複数の３次元映像を見る状態であればこの状態に限定されない。たとえば、１つの３次元映像表示装置にそれぞれ３次元映像を表示する複数の３次元映像表示画面が含まれていて、ユーザが３次元映像表示画面を変更しながら、複数の３次元映像表示画面を見るものであってもよい。
【００３４】
図１は、実施の形態１における３次元映像表示装置の構成の一例を示すブロック図である。
【００３５】
３次元映像表示装置１０は、センサ２００と、視聴行動検出部３００と、映像情報蓄積部４００と、制御部５００と、画像表示部６００とを備える。
【００３６】
センサ２００は、ユーザの状態をセンシングするセンサであり、具体的にはカメラ、生体信号用センサ等である。センサ２００は、ユーザ状態の情報を視聴行動検出部３００に出力する。
【００３７】
視聴行動検出部３００は、センサ２００より出力されたユーザ状態の情報からユーザが当該の３次元映像表示装置１０と、それ以外の３次元映像表示装置とを交互に見ている状態を検出する。
【００３８】
映像情報蓄積部４００は、３次元映像表示装置１０に表示する３次元映像情報（以下、単に「３次元映像」という）を蓄積する記憶装置である。図２は映像情報蓄積部４００に蓄積された３次元映像の一例を示す図である。３次元映像は、例えば、時間と右画像と左画像とを含む。
【００３９】
制御部５００は、視聴行動検出部３００が、ユーザが当該の３次元映像表示装置１０とそれ以外の３次元映像表示装置とを交互に見ている状態を検出した際に、３次元映像表示装置１０に２次元の映像を表示するための制御信号を画像表示部６００に出力する。
【００４０】
画像表示部６００は制御部５００から出力される制御信号に従って映像情報蓄積部４００に蓄積された３次元映像に対して処理を行い、映像を表示する。
【００４１】
図３は、実施の形態１における３次元映像表示装置１０の動作を示すフローチャートである。図３に従って、３次元映像表示装置１０の処理手順を説明する。
【００４２】
３次元映像表示装置１０の電源が入ると、３次元映像表示装置１０の動作が開始する（Ｓ１０００）。次いでセンサ２００が動作を開始し、ユーザ状態の情報を取得する（Ｓ２０００）。視聴行動検出部３００はセンサ２００より取得したユーザ状態の情報に基づき、ユーザが当該の３次元映像表示装置１０とそれ以外の３次元映像表示装置とを交互に見ている状態、すなわち高頻度切り替え行動の検出を行う（Ｓ３０００）。ステップＳ３０００においてユーザの高頻度切り替え行動が検出された場合（Ｓ３０００においてＹｅｓ）は、制御部５００は画像表示部６００に映像を２次元で表示するための制御信号すなわち２Ｄ化信号を出力する。画像表示部６００は２Ｄ化信号に基づいて、映像情報蓄積部４００に蓄積された３次元映像を２次元で表示する（Ｓ４０００）。ステップＳ３０００においてユーザの高頻度切り替え行動が検出されない場合（Ｓ３０００においてＮｏ）は、画像表示部６００は映像情報蓄積部４００に蓄積された３次元映像を３次元で表示する（Ｓ５０００）。ステップＳ４０００およびステップＳ５０００の実行の後、ステップＳ２０００に戻り、ステップＳ２０００からステップＳ４０００またはステップＳ５０００を繰り返す。
【００４３】
図４は、それぞれ異なる３次元映像を表示する複数の３次元映像表示装置をユーザが交互に見る状態の概念を示す模式図である。複数の３次元映像表示装置、つまり３次元映像表示装置１０ａと３次元映像表示装置１０ｂがユーザ１００の前方にあり、ユーザ１００はどちらの３次元映像表示装置も視聴することができる状態にある。なお、３次元映像表示装置１０ａおよび３次元映像表示装置１０ｂは、３次元映像表示装置１０と同じ構成を有する。
【００４４】
例えば、３次元映像表示装置１０ａの表示画面には、図５の（ａ）に示すようにバラエティ等の３次元コンテンツであり、かつ奥行き量が画面よりユーザ側にあるコンテンツが表示されているものとする。また、３次元映像表示装置１０ｂの表示画面には、図５の（ｂ）に示すように、紀行番組等の遠景のコンテンツであり、かつ奥行き量が画面より奥にある３次元コンテンツが表示されているものとする。各表示画面に表示された各コンテンツにおいては、所定の範囲内での奥行き量の変化がある。しかし、同一コンテンツを観視し続ける場合には、ユーザの眼への負荷は発生しない。ここで、図４および図５の例のように、ユーザが複数の画面で異なるジャンル（奥行き範囲）の映像を観視する場合には、ユーザの視覚に対して負荷のない範囲を超えた奥行きの変化量を観視することになってしまう場合がある。本実施の形態に係る３次元映像表示装置１０は、このような状況を回避する。
【００４５】
図６は、図１に示した３次元映像表示装置１０（図４に示した３次元映像表示装置１０ａまたは３次元映像表示装置１０ｂ）の詳細な構成の一例を示すブロック図である。
【００４６】
センサ２００はカメラ２０１を含む。カメラ２０１は３次元映像表示装置１０の前方の映像を取得する。図４のようにカメラ２０１は例えば３次元映像表示装置１０（１０ａまたは１０ｂ）の画面平面の上部中央に設置され、画面の水平方向中心から、例えば水平方向１２０度の範囲の映像を取得する。
【００４７】
視聴行動検出部３００は、顔抽出部３０１と、顔角度計算部３０２と、状態判定部３０３と、顔記憶部３０４と、計時部３０５と、高頻度変化検出部３０６とを含む。顔抽出部３０１はカメラ２０１により取得された画像から人間の顔画像と顔画像の特徴量を抽出し、顔記憶部３０４に顔画像の特徴量を出力する。顔角度計算部３０２は顔抽出部３０１で抽出された顔画像から顔の角度を計算し、状態判定部３０３と顔記憶部３０４に出力する。状態判定部３０３は、顔角度計算部３０２で計算された顔の角度と顔記憶部３０４に記憶されている当該の時刻以前の顔の角度との比較により、ユーザ１００が当該の３次元映像表示装置１０の画面を見ているかそれ以外の３次元映像表示装置の画面を見ているかを判定し、ユーザの観視状態を顔記憶部３０４に出力する。顔記憶部３０４は顔のＩＤと、顔画像が抽出された画像の取得時刻と、顔抽出部３０１より出力された顔画像の特徴量と、顔角度計算部３０２で計算された顔の角度と、状態判定部３０３で検出された観視状態とを対応付けて記憶する。計時部３０５は時間を計測する。高頻度変化検出部３０６は顔記憶部３０４に記憶された情報よりユーザの観視状態が高い頻度で変化しているか否かを判定する。
【００４８】
図７は図６に示した３次元映像表示装置１０の詳細な動作を示すフローチャートである。図３のステップＳ２０００は図７のステップＳ２０１０を含み、図３のステップＳ３０００は図７のステップＳ３０１０からステップＳ３１００を含む。図３と同一の動作については同一の符号を付し、適宜説明を省略する。
【００４９】
３次元映像表示装置１０の電源が入ると、３次元映像表示装置１０の動作が開始する（Ｓ１０００）。次いで、カメラ２０１が３次元映像表示装置１０の正面水平１２０度の範囲の静止画を撮像し、撮像した画像を顔抽出部３０１へ出力する（Ｓ２０１０）。例えば１秒間に１０回静止画が撮像される。顔抽出部３０１は、ステップＳ２０１０で取得された画像より人間の顔画像を抽出する（Ｓ３０１０）。抽出の方法は例えば、特許文献３のように、肌色画素の分布のヒストグラムより顔領域を絞り込む方法を用いる。
【００５０】
顔抽出部３０１は顔画像の特徴量を顔記憶部３０４に記憶された顔画像の特徴量と比較することにより、当該の画像より抽出された顔画像と顔記憶部３０４に記憶されている特徴量算出の元となった顔画像とが同一の顔画像であるか否かを判断する（Ｓ３０２０）。顔抽出部３０１は、例えば、非特許文献１に記載のように、あらかじめ多数の顔画像の主成分分析によって求められた固有ベクトルを用い、入力された顔画像と平均ベクトルとの差から、固有ベクトルの重みのセットを作成する。顔抽出部３０１は、重みセットの類似度に基づいて顔画像が同一であるか否を判断する。
【００５１】
ステップＳ３０２０において当該の画像より抽出された顔画像と顔記憶部３０４に記憶されている特徴量算出の元となった顔画像とが同一の顔画像であると判断された場合（Ｓ３０２０においてＹｅｓ）は、ステップＳ３０４０に進む。ステップＳ３０２０において顔記憶部３０４に特徴量が記憶されていない、あるいは当該の画像より抽出された顔画像と顔記憶部３０４に記憶されている特徴量算出の元となった顔画像とが異なる顔画像であると判断された場合（Ｓ３０２０においてＮｏ）には、顔抽出部３０１は顔記憶部３０４に顔画像の特徴量を出力する。顔記憶部３０４は新たな顔ＩＤを設定し、既に記憶している特徴量の算出の元となった顔画像とは異なる顔画像が抽出された静止画の取得時刻と、顔画像の特徴量とを、顔ＩＤと対応付けて記憶する（Ｓ３０３０）。
【００５２】
顔角度計算部３０２は顔抽出部３０１が抽出した顔画像の顔と３次元映像表示装置１０の画面との角度を計算することにより、顔の角度を計算し、顔の角度を状態判定部３０３と顔記憶部３０４に出力する（Ｓ３０４０）。顔角度計算部３０２は、例えば、非特許文献２に記載のように、眼と口の顔領域内での位置をテンプレートマッチングで特定する際に、複数の顔の角度のテンプレートを有し、最も一致するテンプレートから顔の角度を求める。
【００５３】
顔記憶部３０４は当該の静止画の取得時刻と、顔の角度を記憶する（Ｓ３０５０）。状態判定部３０３はステップＳ３０４０で計算された顔の角度が所定の角度の範囲内にある場合に観視と判定し、これ以外の角度である場合を非観視と判定する（Ｓ３０６０）。所定の角度の範囲は、例えば、顔の正中面が３次元映像表示装置１０の画面平面の法線となす角が−４５度から４５度の範囲である。図８はステップＳ３０６０で判定される顔の角度を示す模式図である。状態判定部３０３は観視状態の判定結果を顔記憶部３０４に出力する。顔記憶部３０４はステップＳ３０６０で判定された観視状態を顔ＩＤと当該の顔画像が抽出された静止画の取得時刻と対応付けて記憶する（Ｓ３０７０）。
【００５４】
図９は、顔記憶部３０４に記憶されたデータの一例を示す。顔記憶部３０４は、顔ＩＤと、ステップＳ３０１０で求められた顔の特徴量と、顔画像が抽出された静止画の取得時刻と、ステップＳ３０４０で求められた顔の角度と、ステップＳ３０６０で判定された観視状態とを記憶する。
【００５５】
高頻度変化検出部３０６は当該の顔画像の観視状態が高い頻度で変化しているか否かを判定する（Ｓ３０８０）。高頻度変化検出部３０６は顔記憶部３０４に記憶された顔画像の情報の中から、時間の最も新しい顔画像の情報を抽出する。また、高頻度変化検出部３０６は、当該の顔画像の情報より顔ＩＤを抽出して、同一の顔ＩＤを持ち、当該の画像取得時刻に先行する所定時間内の画像取得時刻を持つ、顔画像の情報を抽出する。所定時間は例えば１０秒とする。高頻度変化検出部３０６は、抽出した情報中で、直前に記憶された情報の観視状態とは観視状態が異なる回数を求める。観視状態が直前の状態とは異なるとは、観視状態が変化することを示す。観視状態の変化が所定の頻度以上、例えば、１０秒間に３回以上検出された場合に高頻度の観視状態の変化とみなす。ステップＳ３０８０において高頻度の観視状態の変化が検出された場合はステップＳ４０００に進む。画像表示部６００は、制御部５００より出力された２Ｄ化信号に基づいて、映像情報蓄積部４００に蓄積された３次元映像を２次元映像に変換して表示する（Ｓ４０００）。ステップＳ３０８０において高頻度の観視状態の変化が検出されない場合は、高頻度変化検出部３０６は、さらに当該の顔画像の観視状態が所定の時間以上、例えば５秒以上継続しているか否かを判定する（Ｓ３０９０）。ステップＳ３０９０において、所定の時間以上、当該の顔画像による同一の観視状態が続いていると判定された場合（Ｓ３０９０においてＹｅｓ）は、ステップＳ５０００に進む。画像表示部６００は映像情報蓄積部４００に蓄積された３次元映像を３次元のまま表示する（Ｓ５０００）。ステップＳ３０９０において、当該の顔画像と同一の観視状態が所定の時間続いていないと判定された場合は、画像表示部６００の動作を変更することなくステップＳ２０１０へ戻る。ステップＳ４０００またはステップＳ５０００が実行された後は、ステップＳ２０１０へ戻る。
【００５６】
ステップＳ４０００の、３次元映像を２次元で表示する方法については、画像表示部６００の構成と３次元表示の方法により異なるため、別途説明する。
【００５７】
このように、ある３次元映像表示装置の画面と他の３次元映像表示装置の画面とを交互に観視する行動を検出して、３次元映像を２次元映像に変換することができる。すなわち、３次元映像を表示している３次元映像表示装置が複数台存在する場合に、ユーザがそれぞれの３次元映像表示装置に表示された３次元映像を交互に観視する行動を高頻度に行っている可能性がある際に、各３次元映像表示装置は、３次元映像を２次元映像に変換して表示する。これにより、ユーザの視聴行動による頻繁なシーンチェンジにより奥行きの変化が頻繁に発生する、疲労しやすい状態を回避することができ、ユーザ行動によって起るユーザの疲労を軽減することができる。
【００５８】
なお、本実施の形態においては、図４に示すように各３次元映像表示装置にカメラが設置されており、各カメラで撮像されたユーザの顔の向きから、３次元映像表示装置を観視しているか否かを判断している。さらに、カメラの解像度が十分に高い場合には、ユーザの顔の向きを撮像した画像から眼球の領域を抽出し、視線を推定することでユーザの画面に対する眼球の角度を抽出することが可能になる。視線抽出の方法として、例えば、非特許文献３に示されている方法を用いることができる。
【００５９】
なお、本実施の形態においては、図４に示すように、各３次元映像表示装置の画面の上辺あるいは下辺の水平方向中心にカメラが１つ設置されている例を説明した。しかしながら、各３次元映像表示装置に装着されたカメラは、ユーザの顔の向きを検出するためのものである。カメラを各３次元映像表示装置の画面の周辺に複数個設置し、複数のカメラで撮像した画像よりユーザの顔の向きを検出するとしても良い。これにより、ユーザの顔の部分、例えば眼、鼻、口といった部分について複数画像のマッチングを取ることにより奥行き情報を得ることができ、ユーザの顔の向きをより正確に判断することができる。
【００６０】
なお、本実施の形態においては、図４に示すように各３次元映像表示装置にカメラが設置されている例を説明した。しかしながら、各３次元映像表示装置に装着されたカメラは、ユーザの顔の向きを検出するためのものである。このため、図１０Ａに示すように、複数の３次元映像表示装置に共通する１つのカメラを用いてシステムを構成しても良い。この場合、各３次元映像表示装置は、カメラに対し各３次元映像表示装置が設置されている場所に関する情報をあらかじめ蓄積しておく。また、各３次元映像表示装置は、設置されているカメラで撮像された映像を用いて、ユーザがどちらの表示機器を観視しているかを判断する。図１０Ｂおよび図１０Ｃに示すように、ユーザがどちらの表示機器を観視しているかで、撮像される画像が異なる。そこで、各３次元映像表示装置は、撮像されている画像から顔の方向を検出する。
【００６１】
なお、本実施の形態では、３次元コンテンツを表示している画面を、ユーザが所定の頻度以上で切り替えて観視していた場合に、３次元映像を２次元映像に変換したが、図１１に示すように、画面内で３次元映像を見ることへの注意喚起のメッセージを表示するようにしてもよい。
【００６２】
＜３次元映像を２次元で表示する方法＞
図１２は、画像表示部６００が３次元映像の表示の方式として裸眼式を採用している場合の画像表示部６００の構成の一例を示す。
【００６３】
裸眼式は、ディスプレイ表面に設けたバリアまたは特殊なレンズを用いて光の方向を水平方向に調整することにより、ディスプレイを視聴するユーザに対して、右眼用の映像が右眼に見え、左眼用の映像が左眼に見えるようにする方式のことである。
【００６４】
画像表示部６００は、画像制御部６０１と、画像処理部６０２と、表示部６０３とを有する。
【００６５】
画像表示部６００が裸眼式の表示方式を採用し、図１２のような構成である場合、図３または図７のステップＳ４０００において、画像制御部６０１は、まず、右眼用または左眼用どちらか一方の映像を選択する。
【００６６】
次いで画像処理部６０２は映像情報蓄積部４００に蓄積された３次元映像の左右の映像を同じものにする。例えば、右眼用の映像を選択した場合、画像処理部６０２は映像情報蓄積部４００に蓄積された３次元映像の、左眼用の映像を右眼用の映像に入れ替え、右眼用映像と左眼用映像をまったく同じものにする。
【００６７】
画像処理部６０２は上記の２次元化処理を行った後、まったく同じものである右眼用と左眼用の映像を表示部６０３に出力する。
【００６８】
表示部６０３は３次元表示時と同様、右眼用画像をスリットに分割して右眼用表示位置に表示し、左眼用画像をスリットに分割して左眼用表示位置に表示する。これにより、左右の眼に同一の映像が表示され、ユーザは２次元映像を視聴する。
【００６９】
図１３は画像表示部６００が３次元表示の方式としてパッシブシャッタ方式を採用している場合の画像表示部６００の構成の一例を示す。
【００７０】
パッシブシャッタ方式では、ディスプレイを右眼用部分と左眼用部分とに分割して、そのそれぞれの表面に右眼用と左眼用の角度または方向の異なる偏向フィルタを設ける。パッシブシャッタ方式は、右眼と左眼にディスプレイの偏光フィルタの角度または方向に対応した偏光シャッタを備えた専用のメガネを通して視聴することで３次元表示を可能にする方式である。
【００７１】
画像表示部６００は画像制御部６１１と画像処理部６１２と、表示部６１３とを備え、さらに、シャッタ６２１を有する３次元映像用メガネ３０を備える。図１３のような構成である場合、図３または図７のステップＳ４０００において、画像制御部６１１は、右眼用または左眼用どちらか一方の映像を選択する。画像処理部６１２は、映像情報蓄積部４００に蓄積された３次元映像の左右の映像に対して、画像制御部６１１が選択しなかった側の映像を選択した側の映像に入れ替えて、左右の映像を同一の映像にする。
【００７２】
画像処理部６１２は左右の映像が同一になった映像を表示部６１３に出力する。表示部６１３は３次元表示時と同様、左右の画像を各画像の表示領域に分割して表示する。
【００７３】
ユーザは装着した３次元映像用メガネ３０のシャッタ６２１を通して表示部６１３に表示された映像を視聴する。これにより、左右の眼に同一の映像が表示され、ユーザは２次元映像を視聴する。
【００７４】
図１４は画像表示部６００が３次元表示の方式としてアクティブシャッタ方式を採用している場合の画像表示部６００の構成の一例を示す。
【００７５】
アクティブシャッタ方式は、ディスプレイに右眼用画像と左眼用画像とを交互に表示し、表示のタイミングにあわせて専用メガネのシャッタを左右交互に開閉する方式である。
【００７６】
これにより、ユーザは、右眼用画像を表示しているタイミングでは右眼のシャッタをあけて右眼でディスプレイを見て、左眼用画像を表示しているタイミングでは左眼のシャッタをあけて左眼でディスプレイを見る。
【００７７】
左右の切り替えを十分に早くすることで、ユーザは左右の画像を融合して立体視することができる。アクティブシャッタ方式の場合、画像表示部６００は、画像制御部６３１と、画像処理部６３２と、表示部６３３と、送信部６３４と、３次元映像用メガネ３０とを備える。３次元映像用メガネ３０は、受信部６４１と、シャッタ制御部６４２と、シャッタ６４３とを有する。
【００７８】
図１４のような構成である場合、図３または図７のステップＳ４０００で２次元化した映像を表示する方法は２種類ある。
【００７９】
第１の方法は、裸眼方式あるいはパッシブシャッタ方式と同様に画像処理部６３２が映像情報蓄積部４００に蓄積された３次元映像を左右同一の映像に入れ替える処理を行い、表示部６３３が左右同一の映像を、３次元映像を表示する際と同様に表示する方法である。
【００８０】
第２の方法は、以下の方法である。つまり、画像制御部６３１は左右どちらの映像を表示するかを選択するが、表示部６３３は３次元映像を表示する際と同様に映像を表示する。一方、画像制御部６３１は、画像制御部６３１が選択した左右どちらかの映像を、ユーザが両眼で見るよう３次元映像用メガネ３０のシャッタ６４３の開閉タイミングを変更する。
【００８１】
第１の方法では、ステップＳ４０００において、画像制御部６３１は、右眼用または左眼用どちらか一方の映像を選択し、画像処理部６３２は、映像情報蓄積部４００に蓄積された３次元映像の左右の映像に対して、左右のうち選択しなかった側の映像を選択した側の映像に入れ替えることで左右の映像を同一の映像にする。画像処理部６３２は左右の映像が同一になった映像を表示部６３３に出力する。画像制御部６３１は３次元表示時と同様、表示に同期して、左右のシャッタを切り替える同期信号を生成する。表示部６３３は画像制御部６３１より出力された制御信号に従って、画像処理部６３２により処理された映像を表示する。同時に、画像制御部６３１で生成された同期信号を送信部６３４が送信し、受信部６４１が同期信号を受信する。
【００８２】
シャッタ制御部６４２は受信部６４１が受信した同期信号に従ってシャッタ６４３の開閉を制御する。
【００８３】
画像処理部６３２での処理により左右の映像が同一のものになっているため、ユーザは右眼と左眼で順に同じ映像を見ることになり、２次元映像を視聴することになる。
【００８４】
第２の方法では、ステップＳ４０００において画像制御部６３１は、右眼用または左眼用のどちらか一方の映像を選択する。ここでは、例えば右眼用の映像を選択するものとする。
【００８５】
画像制御部６３１は、右眼用と左眼用のシャッタの両方が右眼用映像が表示されるタイミングに開き、左眼用映像が表示されるタイミングに閉じるようにシャッタ６４３を制御する同期信号を生成する。
【００８６】
画像処理部６３２は映像情報蓄積部４００に蓄積された３次元映像に対して２次元化の処理を加えることなく表示部６３３へ出力する。
【００８７】
表示部６３３は３次元表示時と同様に左右の画像を交互に表示し、送信部６３４は画像制御部６３１が生成した同期信号を受信部６４１に送信する。
【００８８】
受信部６４１は受信した同期信号をシャッタ制御部６４２に出力し、シャッタ制御部６４２は同期信号に基づいてシャッタ６４３を同期して開閉する。これによりユーザが装着する３次元映像用メガネ３０のシャッタ６４３はどちらも右眼用画像が表示されているときのみ開放され、ユーザは右眼用画像のみを見ることになり、２次元映像を視聴することになる。
【００８９】
（実施の形態２）
図１５は、本実施の形態における、それぞれ異なる３次元映像を表示する複数の３次元映像表示装置をユーザが交互に見る状態の概念を示す模式図である。複数の３次元映像表示装置、つまり３次元映像表示装置１１ａと３次元映像表示装置１１ｂがユーザ１００の前方にあり、３次元映像用メガネ５０を装着したユーザ１００は、どちらの３次元映像表示装置も視聴することができる状態である。
【００９０】
図１６は図１５に示した３次元映像表示装置１１ａまたは３次元映像表示装置１１ｂと同一の構成を有する３次元映像表示装置１１と、３次元映像用メガネ５０との詳細な構成の一例を示す。図１に示した３次元映像表示装置１０と同じ構成については同じ符号を付し、適宜説明を省略する。
【００９１】
３次元映像表示装置１１は、センサ２００Ａの一部と、視聴行動検出部３００Ａと、映像情報蓄積部４００と、制御部５００と、画像表示部６００とを備える。
【００９２】
３次元映像用メガネ５０は、センサ２００Ａの一部と、シャッタ７００とを備える。
【００９３】
センサ２００Ａは、３次元映像表示装置１１に備えられた受光部２１１と、３次元映像用メガネ５０に備えられた発光部２１２とを有する。受光部２１１は発光部２１２が出射する光線を取得する。図１５のように受光部２１１は例えば３次元映像表示装置１１の画面平面の上部中央に設置されたカメラ（受光部２１１ａおよび２１１ｂ）であり、画面の水平方向中心から、例えば水平方向１２０度の範囲の光線を取得する。また、発光部２１２は図１５のように３次元映像用メガネ５０の右眼用と左眼用のシャッタの間に設置され、シャッタ平面に垂直な方向を中心に拡散範囲を小さくした光線を出力する発光体である。光線は例えば赤外光等である。
【００９４】
視聴行動検出部３００Ａは、入射角計測部３１１と、状態判定部３１２と、メガネ特定部３１３と、状態記憶部３１５と、計時部３１４と、高頻度変化検出部３１６とを有する。入射角計測部３１１は受光部２１１が取得した発光部２１２が出力した光線が、受光部２１１に対して入射した角度を計算する。状態判定部３１２は入射角計測部３１１が計算した入射角より、ユーザが３次元映像用メガネ５０を正しく装着している場合に、当該の３次元映像表示装置１１の画面を観視しているか否かを判定する。メガネ特定部３１３は受光部２１１が取得した発光部２１２の発光パタンにより３次元映像用メガネ５０を特定する。計時部３１４は時間を計測する。状態記憶部３１５はメガネ特定部３１３により特定された３次元映像用メガネ５０を識別するメガネＩＤと、発光部２１２の発光パタン（パルスパタン）と、計時部３１４で計測された時間と、状態判定部３１２で判定されたユーザ１００の観視状態とを記憶する。図１７は状態記憶部３１５に記憶される情報の一例である。
【００９５】
図１８は図１６に示した３次元映像表示装置１１の動作を示すフローチャートである。実施の形態１の図７に示した３次元映像表示装置１０の動作と同一の動作については同一の符号を付し、適宜説明を省略する。
【００９６】
３次元映像表示装置１１および３次元映像用メガネ５０の電源が入ると、３次元映像表示装置１０の動作が開始する（Ｓ１０００）。
【００９７】
センサ２００Ａが動作を開始し、ユーザ状態の情報を取得する（Ｓ２０００Ａ）。つまり、受光部２１１が受光を開始する（Ｓ２１１０）。次いで、発光部２１２が発光する（Ｓ２１２０）。発光部２１２が出射する光線は、例えば赤外線の正円を描くものであり、さらに３次元映像用メガネ５０を特定するため、例えば、特定の発光パルスの時間パタンに従って発光するものとする。さらに発光部２１２は３次元映像用メガネ５０の正面方向に対してメガネを正立させた場合の水平方向に１度の範囲で光を拡散するものとする。発光は例えば１秒間に１０回行われるとする。
【００９８】
視聴行動検出部３００Ａはセンサ２００Ａより取得したユーザ状態の情報に基づき、ユーザが当該の３次元映像表示装置１１とそれ以外の３次元映像表示装置とを交互に見ている状態、すなわち高頻度切り替え行動の検出を行う（Ｓ３０００）。つまり、メガネ特定部３１３は、受光部２１１が取得した、発光部２１２より出力された光線のパルスの時間パタンを取得する（Ｓ３１１０）。メガネ特定部３１３は、ステップＳ３１１０で取得したパルスの時間パタンと、状態記憶部３１５に記憶されたパルスの時間パタンとを比較する（Ｓ３１２０）。ステップＳ３１２０において、ステップＳ３１２０で取得したパルスパタンと状態記憶部３１５に記憶されたパルスパタンとが一致する場合（Ｓ３１２０でＹｅｓ）は、ステップＳ３１３０に進む。ステップＳ３１２０において、ステップＳ３１１０で取得したパルスパタンと状態記憶部３１５に記憶されたパルスパタンとが一致しない場合、あるいは状態記憶部３１５にパルスパタンが記憶されていない場合（Ｓ３１２０でＮｏ）は、状態記憶部３１５は、新規のメガネＩＤを設定し、パルスパタンと受光部２１１が光線を取得した時間とを新規のメガネＩＤに対応付けて記憶する（Ｓ３１３０）。
【００９９】
入射角計測部３１１は受光部２１１が取得した発光部２１２より出力された光線により描かれた楕円の長径と短径とから、入射角を計測する（Ｓ３１４０）。図１９Ａおよび図１９Ｂは受光部２１１の受光平面すなわち３次元映像表示装置１１の画面平面と、発光部２１２が出力する赤外線が成す角度すなわち入射角と、発光部２１２が出力する赤外線により受光部２１１平面上に描かれる円または楕円との関係を模式的に示した図である。図１９Ａは入射角が９０度である場合を示しており、図１９Ｂは入射角がθである場合を示している。図１９Ａの場合、受光部２１１の受光平面に描かれる円は正円である。図１９Ｂの場合、受光部２１１の受光平面には楕円が描かれる。楕円の長径は角度θによって決定されるため、入射角θは以下の式１によって求められる。
【０１００】
【数１】
2014010191.tif 000003
【０１０１】
ただしａは楕円の短径、ｘは楕円の長径である。
【０１０２】
なお、本システム構成においては、３次元映像用メガネ５０の発光部２１２から円形状の赤外線を発光し、３次元映像表示装置１１に投射された円形がどれだけ扁平するかを、３次元映像表示装置１１に装着された赤外線カメラ等によって計測するものである。ただし、３次元映像表示装置１１が円形の赤外線の発光部と、赤外線カメラとを備えることにより３次元映像用メガネ５０に投射された赤外線の反射赤外光を検出しても良い。３次元映像表示装置１１から反射された反射赤外光の円または楕円形状を計測することで、ユーザが３次元映像表示装置１１を観視しているか否かを判断することも可能である。
【０１０３】
状態判定部３１２はステップＳ３１４０で計算された入射角が所定の角度の範囲内にある場合に観視と判定し、これ以外の角度である場合を非観視と判定する（Ｓ３１５０）。所定の角度の範囲は、例えば、−４５度から４５度の範囲である。状態判定部３１２は状態記憶部３１５に観視状態の判定結果を出力する。状態記憶部３１５はステップＳ３１５０で判定された観視状態を、メガネＩＤと受光部２１１が光線を取得した時間と対応付けて記憶する（Ｓ３１６０）。
【０１０４】
高頻度変化検出部３０６は当該の顔画像の観視状態が高い頻度で変化しているか否かを判定する（Ｓ３１８０）。高頻度変化検出部３０６は状態記憶部３１５に記憶された時間が最も新しいメガネＩＤの情報を抽出する。また、高頻度変化検出部３０６は、抽出した最も新しいメガネＩＤと同一メガネＩＤを持ち、最新の受光に先行する所定時間内の受光の情報を抽出する。所定時間は例えば１０秒とする。高頻度変化検出部３０６は抽出した情報中で、観視状態の変化を検出する。観視状態の変化が所定の頻度以上、例えば、１０秒間に３回以上検出された場合に高頻度の観視状態の変化とみなす。ステップＳ３１８０において高頻度の観視状態の変化が検出された場合はステップＳ４０００に進む。画像表示部６００は制御部５００より出力された２Ｄ化信号に基づいて、映像情報蓄積部４００に蓄積された３次元映像を２次元で表示する（Ｓ４０００）。ステップＳ３１８０において高頻度の観視状態の変化が検出されない場合は、高頻度変化検出部３１６は、さらに当該のメガネＩＤの観視状態が所定の時間以上、例えば５秒以上継続しているか否かを判定する（Ｓ３０９０）。ステップＳ３０９０において、所定の時間以上、当該のメガネＩＤと同一の観視状態が続いていると判定された場合（Ｓ３０９０においてＹｅｓ）は、ステップＳ５０００に進む。画像表示部６００は映像情報蓄積部４００に蓄積された３次元映像を３次元で表示する（Ｓ５０００）。ステップＳ３０９０において、当該の受光による同一の観視状態が所定の時間続いていないと判定された場合は、画像表示部６００の動作を変更することなくステップＳ２０１０へ戻る。ステップＳ４０００またはステップＳ５０００を実行した後は、ステップＳ２０１０へ戻る。
【０１０５】
このように、３次元映像を表示している３次元映像表示装置が複数台あり、ユーザがそれぞれの３次元映像表示装置に表示された３次元映像を交互に観視する行動を高頻度に行った際に、３次元映像を２次元映像に変換して表示することで、ユーザの視聴行動による頻繁なシーンチェンジにより奥行きの変化が頻繁に発生する、疲労しやすい状態を回避することができ、ユーザ行動によって起るユーザの疲労を軽減することができる。
【０１０６】
（実施の形態３）
図２０は、本実施の形態における、それぞれ異なる３次元映像を表示する複数の３次元映像表示装置をユーザが交互に見る状態の概念を示す模式図である。複数の３次元映像表示装置、つまり３次元映像表示装置１２ａと３次元映像表示装置１２ｂがユーザ１００の前方にあり、ユーザ１００はどちらの３次元映像表示装置も視聴することができる状態にある。さらに、複数の３次元映像表示装置は互いにデータ通信が可能である。
【０１０７】
図２１は、図２０に示した３次元映像表示装置１２ａの詳細な構成の一例を示す。図６と同一の構成には同一の符号を付し、適宜説明を省略する。３次元映像表示装置１２ｂも３次元映像表示装置１２ａと同じ構成を有する。
【０１０８】
３次元映像表示装置１２ａは、図６に示した３次元映像表示装置１０の構成に通信部８００が付け加わり、視聴行動検出部３００の代わりに視聴行動検出部３００Ｂを備える構成を有する。通信部８００は、通信制御部３２１と、送信部３２２と、受信部３２３とを備える。通信部８００は、当該の３次元映像表示装置１２ａと、近接する他の３次元映像表示装置１２ｂとの間で、無線等により信号の送信と受信を行う。
【０１０９】
視聴行動検出部３００Ｂは、図６に示した視聴行動検出部３００に、統合処理部３２４と、履歴記憶部３２５とが付け加わり、高頻度変化検出部３０６の代わりに高頻度変化検出部３２６を備える構成を有する。つまり、視聴行動検出部３００Ｂは、顔抽出部３０１と、顔角度計算部３０２と、状態判定部３０３と、顔記憶部３０４と、計時部３０５と、統合処理部３２４と、履歴記憶部３２５と、高頻度変化検出部３２６とを含む。
【０１１０】
センサ２００は、カメラ２０１を含む。
【０１１１】
通信制御部３２１は、当該の３次元映像表示装置１２ａから他の３次元映像表示装置１２ｂへの情報の送信を制御する制御信号を出力する。送信部３２２は通信制御部３２１が出力する制御信号に従って、顔記憶部３０４内に記憶された情報を信号に変換して、近接する３次元映像表示装置１２ｂに対して送信する。受信部３２３は近接する３次元映像表示装置１２ｂから送信された信号を受信する。
【０１１２】
統合処理部３２４は、受信部３２３により受信された信号から、近接する３次元映像表示装置１２ｂを観視する顔の情報を取得し、顔記憶部３０４に記憶された顔の情報と照合して、照合結果を記憶された顔ごとの観視状態の履歴として統合する。履歴記憶部３２５は統合処理部３２４が生成する顔ごとの観視状態の履歴を記憶する。高頻度変化検出部３２６は履歴記憶部３２５に記憶された情報から、ユーザが当該の３次元映像表示装置１２ａと近接の３次元映像表示装置１２ｂとを交互に観視しており、観視する３次元映像表示装置を高い頻度で切り替えているか否かを判定する。
【０１１３】
図２２は図２１に示した３次元映像表示装置１２ａの動作を示すフローチャートである。図２１の３次元映像表示装置１２ａの動作は、図３に示した実施の形態１の３次元映像表示装置１０の動作にステップＳ６０００が付け加わったものである。実施の形態１と同一の動作については適宜説明を省略する。以下、図２２に従って実施の形態３の３次元映像表示装置１２ａの動作を説明する。
【０１１４】
３次元映像表示装置１２ａの電源が入ると、３次元映像表示装置１２ａの動作が開始する（Ｓ１０００）。次いでセンサ２００がユーザ状態の情報を取得する（Ｓ２０００）。一方、通信部８００は当該の３次元映像表示装置１２ａに近接する別の３次元映像表示装置１２ｂが送信する信号の受信を開始する（Ｓ６０００）。視聴行動検出部３００Ｂはセンサ２００より取得したユーザ状態の情報と、ステップＳ６０００で取得した近接する３次元映像表示装置１２ｂから送信されたユーザの行動情報とに基づき、ユーザが当該の３次元映像表示装置１２ａと近接の３次元映像表示装置１２ｂとを交互に見ている状態、すなわち高頻度切り替え行動の検出を行う（Ｓ３０００）。ステップＳ３０００においてユーザの高頻度切り替え行動が検出された場合（Ｓ３０００においてＹｅｓ）、制御部５００は画像表示部６００に映像を２次元で表示するための制御信号すなわち２Ｄ化信号を出力する。画像表示部６００は２Ｄ化信号に基づいて、映像情報蓄積部４００に蓄積された３次元映像を２次元映像に変換して表示する（Ｓ４０００）。ステップＳ３０００においてユーザの高頻度切り替え行動が検出されない場合（Ｓ３０００においてＮｏ）、画像表示部６００は映像情報蓄積部４００に蓄積された３次元映像を３次元のまま表示する（Ｓ５０００）。ステップＳ４０００およびステップＳ５０００の実行の後、ステップＳ２０００に戻り、ステップＳ２０００からステップＳ４０００またはステップＳ５０００を繰り返す。
【０１１５】
図２３は図２１に示した３次元映像表示装置１２ａの詳細な動作の一部を示すフローチャートである。ステップＳ６０００は、ステップＳ２０００からステップＳ５０００までの動作の流れとは独立に動作する。以下ステップＳ６０００の詳細な動作を図２３にしたがって説明する。
【０１１６】
ステップＳ１０００で３次元映像表示装置１２ａが動作を開始する。受信部３２３は受信を開始する（Ｓ６０１０）。受信部３２３が受信する信号はたとえば、Ｂｌｕｅｔｏｏｔｈ（登録商標）等の無線通信によって通信されている。信号の内容はたとえば図２４のように、先頭から、３次元映像表示装置１２ｂを識別する表示装置ＩＤと、信号を送信する３次元映像表示装置１２ｂによってセンシングされた顔を識別する顔ＩＤおよび顔の特徴量と、顔がセンシングされた時刻と、顔がセンシングされた時点で信号を送信した３次元映像表示装置１２ｂをユーザが観視していたか否かを示す観視状態の情報とを含む。信号の送信元の３次元映像表示装置１２ｂが複数の顔をセンシングしている場合は複数の顔の情報が送信される。受信部３２３は信号形式の合致する無線信号を待機する（Ｓ６０２０）。ステップＳ６０２０において信号を受信すると（Ｓ６０２０でＹｅｓ）、受信部３２３は、受信した信号に含まれる情報を統合処理部３２４へ出力し、ステップＳ６０３０へ進む。ステップＳ６０２０において信号を受信していない場合（Ｓ６０２０でＮｏ）は、ステップＳ６０２０を繰り返す。
【０１１７】
ステップＳ６０３０では、統合処理部３２４は、ステップＳ６０２０で受信部３２３が受信した信号に含まれる、当該の３次元映像表示装置１２ａに近接する３次元映像表示装置１２ｂが記憶する顔の観視状態の情報と、当該の３次元映像表示装置１２ａの顔記憶部３０４に記憶された顔の観視状態の情報とを統合し（Ｓ６０３０）、履歴記憶部３２５に記憶する（Ｓ６０４０）。ステップＳ６０４０の後、ステップＳ６０２０へ戻り、ステップＳ６０２０からステップＳ６０４０を繰り返して、３次元映像表示装置１２ａは、近接の３次元映像表示装置１２ｂとの通信によりユーザの観視状態の履歴を生成して記憶する。
【０１１８】
図２５はステップＳ６０３０で統合処理部３２４が行う処理の詳細を示したフローチャートである。ステップＳ６０３０において統合処理部３２４は、ステップＳ６０２０で受信した顔の情報より、未処理の顔の情報を抽出する（Ｓ６０３１）。ステップＳ６０３１において未処理の顔の情報がない場合（Ｓ６０３１でＹｅｓ）は、ステップＳ６０４０に進む。ステップＳ６０３１において未処理の顔の情報がある場合（Ｓ６０３１でＮｏ）は、統合処理部３２４はステップＳ６０３１で抽出した、近接する３次元映像表示装置１２ｂに記憶された１つの未処理の顔の特徴量と、当該の３次元映像表示装置１２ａの顔記憶部３０４に記憶された顔のすべての特徴量とを照合し（Ｓ６０３２）、特徴量が一致する顔の情報を顔記憶部３０４から抽出する（Ｓ６０３３）。特徴量の照合は、例えば、実施の形態１のステップＳ３０２０と同様に行う。ステップＳ６０３３において顔の特徴量が一致する顔の情報が顔記憶部３０４に記憶されていると判断された場合（Ｓ６０３３でＹｅｓ）は、ステップＳ６０３４に進む。ステップＳ６０３３において顔の特徴量が一致する顔の情報が顔記憶部３０４に記憶されていないと判断された場合（Ｓ６０３３でＮｏ）は、ステップＳ６０３１に戻る。ステップＳ６０３３において顔の特徴量が一致する顔の情報が顔記憶部３０４に記憶されていない状態は、照合した顔の特徴量により特定されるユーザは、顔の情報の送信元である近接した３次元映像表示装置１２ｂを観視しているが、当該の３次元映像表示装置１２ａは観視していないことを示す。したがって、当該の３次元映像表示装置１２ａによる疲労を軽減する処理を必要としない。
【０１１９】
ステップＳ６０３４では、統合処理部３２４は、ステップＳ６０３３で抽出された顔記憶部３０４に記憶された顔の情報の各時刻における観視状態（当該の３次元映像表示装置１２ａを観視しているか否か）と、受信した顔の情報うち、ステップＳ６０３３で特徴量が一致すると判断された顔の情報の各時刻における観視状態（近接の３次元映像表示装置１２ｂを観視しているか否か）とを、時刻に従って並べ替える（Ｓ６０３４）。さらに、統合処理部３２４は、ステップＳ６０３４で並べ替えを行った顔の情報について、当該の３次元映像表示装置１２ａの顔記憶部３０４に記憶されている顔ＩＤと、送信元の３次元映像表示装置１２ｂの表示装置ＩＤと、送信元の３次元映像表示装置１２ｂで設定された顔ＩＤと、いずれの３次元映像表示装置を観視しているかを示す観視情報とを、顔の情報が取得された時刻に対応付けたデータを生成し（Ｓ６０３５）、履歴記憶部３２５へ出力する。履歴記憶部３２５はステップＳ６０３５で生成されたデータを記憶する（Ｓ６０４０）。
【０１２０】
図２６に履歴記憶部３２５に記憶されるデータの一例を示す。履歴記憶部３２５は、当該の３次元映像表示装置１２ａの顔記憶部３０４に記憶された顔の情報について、時刻ごとに、顔を識別する顔ＩＤと、近接する３次元映像表示装置１２ｂで識別されている顔の顔ＩＤと、どの３次元映像表示装置を観視しているかを示す観視状態とを記憶する。例えば、１行目では、顔ＩＤ「０１」の顔が当該の３次元映像表示装置１２ａと装置ＩＤ「近接１」の近接の３次元映像表示装置１２ｂとで抽出されたことを示しており。顔ＩＤ「０１」の顔は、時刻「１０：３２：１５．５５」において当該の３次元映像表示装置１２ａを観視し（１）、装置ＩＤ「近接１」および「近接２」の３次元映像表示装置１２ｂは観視していない（０）ことを示している。
【０１２１】
なお、ここでは、統合処理部３２４は受信部３２３から取得した情報と顔記憶部３０４に記憶された情報のみから顔の観視状態の情報を統合したが、履歴記憶部３２５に記憶されている当該の３次元映像表示装置１２ａにおける顔ＩＤと近接の３次元映像表示装置１２ｂにおける顔ＩＤの対応を利用して観視状態の情報を統合してもよい。
【０１２２】
なお、ここでは、統合処理部３２４は受信した顔の情報と、顔記憶部３０４に記憶された情報のすべてを照合したが、履歴記憶部３２５を参照して、履歴記憶部３２５に記憶された時刻より後の時刻の情報についてのみ照合を行うとしてもよい。
【０１２３】
なお、ここでは簡単のため、図２０および図２１には互いに近接する３次元映像表示装置として２つの装置を示したが、３つ以上の装置が近接しており、ユーザが３つ以上の３次元映像を交互に見る場合についても同様の処理が行われる。
【０１２４】
図２２のステップＳ３０００については、図７に示した実施の形態１のステップＳ３０１０からステップＳ３０９０と同様であるが、ステップＳ３０８０の動作についてのみ実施の形態１と異なるので説明する。
【０１２５】
高頻度変化検出部３２６は、履歴記憶部３２５に記憶された１つ以上の顔の観視状態が高い頻度で変化しているか否かを判定する（Ｓ３０８０）。高頻度変化検出部３２６は、履歴記憶部３２５より、現在の時刻に先行する所定時間内の時刻を持つ、顔の情報を抽出する。所定時間は例えば１０秒とする。抽出した情報中で、観視する３次元映像表示装置が切り替わる回数が所定の頻度以上、例えば、１０秒間に３回以上検出された場合に高頻度の観視状態の変化とみなす。ただし、いずれの３次元映像表示装置も観視していない時間が所定の時間以上含まれる場合を除く。所定の時間とは例えば３秒である。ステップＳ３０８０において高頻度の観視状態の変化が検出された場合はステップＳ４０００に進む。ステップＳ３０８０において高頻度の観視状態の変化が検出されない場合は、ステップＳ３０９０に進む。
【０１２６】
このように、３次元映像を表示している３次元映像表示装置が近接して複数台存在する場合に、３次元映像表示装置の間で通信を行い、ユーザがそれぞれの３次元映像表示装置に表示された３次元映像を交互に観視する行動を高頻度に行っている状況を正確に検出し、３次元映像を２次元映像に変換して表示する。これにより、映像と実空間とを交互に見るような負荷の小さい場合には処理をせず、３次元映像を交互に見るという、ユーザの視聴行動による頻繁なシーンチェンジにより奥行きの変化が頻繁に発生する、疲労しやすい状態のみを回避することができ、ユーザ行動によって起るユーザの疲労を軽減することができる。
【０１２７】
（実施の形態４）
本実施の形態では、実施の形態２の図１５ように３次元映像用メガネを用いて３次元映像を視聴するための３次元映像表示装置が近接して複数存在し、３次元映像用メガネを装着したユーザ１００は、複数の３次元映像表示装置にそれぞれ独立に表示された３次元映像をかわるがわる視聴することができる。本実施の形態４では実施の形態２の状態に合わせてさらに、複数の３次元映像表示装置は互いに通信が可能である。
【０１２８】
図２７は本実施の形態４の３次元映像表示装置１３ａの詳細な構成の一例を示す。３次元映像表示装置１３ａは、図１６に示した３次元映像表示装置１１の構成に図２１に示した通信部８００が付け加わり、視聴行動検出部３００Ａの代わりに視聴行動検出部３００Ｃを備える構成を有する。
【０１２９】
視聴行動検出部３００Ｃは、視聴行動検出部３００Ａに、統合処理部３３４と、履歴記憶部３３５とが付け加わり、高頻度変化検出部３１６が高頻度変化検出部３３６に置き換わった構成を有する。
【０１３０】
通信部８００は、当該の３次元映像表示装置１３ａと、近接する他の３次元映像表示装置１３ｂとの間で、無線等により信号の送信と受信を行う。図１６および図２１と同一の構成には同一の符号を付し、適宜説明を省略する。３次元映像表示装置１３ｂは、３次元映像表示装置１３ａと同様の構成を有する。
【０１３１】
３次元映像表示装置１３ａは、センサ２００の一部と、視聴行動検出部３００Ｃと、映像情報蓄積部４００と、制御部５００と画像表示部６００と、通信部８００とを備える。
【０１３２】
３次元映像用メガネ５０は、センサ２００の一部と、シャッタ７００とを備える。
【０１３３】
センサ２００は３次元映像表示装置１３ａに備えられた受光部２１１と３次元映像用メガネ５０に備えられた発光部２１２とを有する。
【０１３４】
視聴行動検出部３００Ｃは、入射角計測部３１１と、状態判定部３１２と、メガネ特定部３１３と、状態記憶部３１５と、計時部３１４と、統合処理部３３４と、履歴記憶部３３５と、高頻度変化検出部３３６とを有する。入射角計測部３１１は受光部２１１に対して入射した発光部２１２の光線の角度を計算する。状態判定部３１２は入射角計測部３１１が計算した入射角より、ユーザが３次元映像用メガネ５０を正しく装着している場合に、当該の３次元映像表示装置１３ａの画面を観視しているか否かを判定する。メガネ特定部３１３は受光部２１１が取得した発光部２１２の発光パタンにより３次元映像用メガネ５０を特定する。計時部３１４は時間を計測する。状態記憶部３１５はメガネ特定部３１３により特定された３次元映像用メガネ５０を識別するメガネＩＤと、計時部３１４で計測された時間と、状態判定部３１２で判定されたユーザ１００の観視状態とを記憶する。通信制御部３２１は、情報の送信を制御する制御信号を出力する。送信部３２２は通信制御部３２１が出力する制御信号に従って、状態記憶部３１５内に記憶された情報を信号に変換して、近接する３次元映像表示装置１３ｂに対して送信する。受信部３２３は近接する３次元映像表示装置１３ｂから送信された信号を受信する。
【０１３５】
統合処理部３３４は、受信部３２３により受信された信号から、近接する３次元映像表示装置１３ｂを観視するユーザおよび３次元映像用メガネ５０の情報を取得し、状態記憶部３１５に記憶された情報と照合して、ユーザおよび３次元映像用メガネ５０ごとの観視状態の履歴として統合する。履歴記憶部３３５は統合処理部３３４が生成するユーザおよび３次元映像用メガネ５０ごとの観視状態の履歴を記憶する。高頻度変化検出部３３６は履歴記憶部３３５に記憶された情報から、ユーザが当該の３次元映像表示装置１３ａと近接の３次元映像表示装置１３ｂとを交互に観視しており、観視する３次元映像表示装置を高い頻度で切り替えているか否かを判定する。
【０１３６】
図２８は本実施の形態の図２７に示した３次元映像表示装置１３ａの動作の一部を示すフローチャートである。３次元映像表示装置１３ａの動作は、図２２および図２３に示した実施の形態３のステップＳ１０００、Ｓ２０００、Ｓ４０００、Ｓ５０００およびＳ６０００と同様である。ただし、Ｓ６０３０の処理が一部異なる。以下、ステップＳ６０００の詳細について図２８、図２２および図２３に従って説明する。実施の形態３の図２５と同じ部分については同じ符号を付し適宜説明を省略する。
【０１３７】
まず、図２２のステップＳ１０００で３次元映像表示装置１３ａが動作を開始する。受信部３２３は受信を開始する（図２３のＳ６０１０）。信号は、たとえば図２９のように、先頭から、３次元映像表示装置を識別する表示装置ＩＤと、信号を送信する３次元映像表示装置で特定された３次元映像用メガネ５０を識別するメガネＩＤと、３次元映像用メガネ５０が特定された時刻と、３次元映像用メガネ５０が特定された時点の観視状態とを含む。送信元の３次元映像表示装置が複数の３次元映像用メガネ５０を特定している場合は複数の３次元映像用メガネ５０の情報が一連のデータとして送信される。受信部３２３は信号形式の合致する無線信号を待機する（Ｓ６０２０）。ステップＳ６０２０において信号を受信すると（Ｓ６０２０でＹｅｓ）、受信部３２３は、受信した信号に含まれる情報を統合処理部３３４へ出力し、ステップＳ６０３０へ進む。ステップＳ６０２０において信号を受信しない場合（Ｓ６０２０でＮｏ）は、ステップＳ６０２０を繰り返す。ステップＳ６０３０では、統合処理部３３４は、ステップＳ６０２０で受信部３２３が受信した信号に含まれる、当該の３次元映像表示装置１３ａに近接する３次元映像表示装置１３ｂが記憶する観視状態の情報と、当該の３次元映像表示装置１３ａの状態記憶部３１５に記憶された観視状態の情報とを統合し（Ｓ６０３０）、履歴記憶部３３５に記憶する（Ｓ６０４０）。ステップＳ６０４０の後、ステップＳ６０２０へ戻り、ステップＳ６０２０からステップＳ６０４０を繰り返して、３次元映像表示装置１３ａは、近接の３次元映像表示装置１３ｂとの通信によりユーザの観視状態の履歴を生成して記憶する。
【０１３８】
図２８はステップＳ６０３０で統合処理部３３４が行う処理の詳細を示したフローチャートである。ステップＳ６０３０において統合処理部３３４は、ステップＳ６０２０で受信したメガネＩＤと観視状態の情報より、未処理のメガネＩＤの情報を抽出する（Ｓ６１３１）。ステップＳ６１３１において未処理のメガネＩＤの情報がない場合（Ｓ６１３１でＹｅｓ）は、ステップＳ６０４０に進む。ステップＳ６１３１において未処理のメガネＩＤの情報がある場合（Ｓ６１３１でＮｏ）は、統合処理部３３４はステップＳ６１３１で抽出した、近接する３次元映像表示装置１３ｂに記憶された１つの未処理のメガネＩＤと合致するメガネＩＤを、当該の３次元映像表示装置１３ａの状態記憶部３１５内で検索する（Ｓ６１３３）。ステップＳ６１３３において状態記憶部３１５内に合致するメガネＩＤが記憶されていると判断された場合（Ｓ６１３３でＹｅｓ）は、ステップＳ６１３４に進む。ステップＳ６１３３において状態記憶部３１５内に合致するメガネＩＤが記憶されていないと判断された場合（Ｓ６１３３でＮｏ）は、ステップＳ６１３１に戻る。ステップＳ６１３３において合致するメガネＩＤがないと判断されたことは、送信元の３次元映像表示装置１３ｂを３次元映像用メガネ５０を装着して観視するユーザは、当該の３次元映像表示装置１３ａを観視していないことを示している。したがって、少なくとも当該の３次元映像表示装置１３ａによる疲労軽減のための処理を必要としない。
【０１３９】
ステップＳ６１３４では、統合処理部３３４は、ステップＳ６１３３で抽出された３次元映像表示装置１３ａの状態記憶部３１５と送信元の３次元映像表示装置１３ｂの両装置に記憶されたメガネＩＤの各時刻における観視状態の情報を、時刻に従って並べ替える（Ｓ６１３４）。さらに、統合処理部３３４は、ステップＳ６１３４で並べ替えを行った観視状態の情報について、当該の３次元映像表示装置１３ａの状態記憶部３１５と送信元の３次元映像表示装置１３ｂの両装置に記憶されているメガネＩＤと、いずれの装置を観視しているかを示す観視情報とを、情報が取得された時刻に対応付けたデータを生成し（Ｓ６１３５）、履歴記憶部３３５へ出力する。履歴記憶部３３５はステップＳ６０３５で生成されたデータを記憶する（Ｓ６０４０）。図３０に履歴記憶部３３５に記憶されるデータの一例を示す。履歴記憶部３３５は、当該の３次元映像表示装置１３ａの状態記憶部３１５に記憶されたメガネＩＤについて、時刻ごとにどの３次元映像表示装置を観視しているかを示す観視状態を記憶する。例えば、時刻「１０：３２：１５．５５」に、メガネＩＤの３次元映像用メガネ５０をかけたユーザが当該の３次元映像表示装置１３ａを観視していたことが分かる。
【０１４０】
なお、ここでは、統合処理部３３４は受信部３２３から取得した情報と状態記憶部３１５に記憶された情報から３次元映像用メガネ５０ごとに観視状態の情報を統合したが、履歴記憶部３３５に記憶されているメガネＩＤと受信した情報に含まれるメガネＩＤとの対応を利用して観視状態の情報を統合してもよい。
【０１４１】
なお、ここでは、統合処理部３３４は受信したメガネＩＤと、状態記憶部３１５に記憶されたメガネＩＤのすべてとを照合したが、履歴記憶部３３５を参照して、履歴記憶部３２５に記憶された時刻より後の時刻の情報についてのみ照合を行うとしてもよい。
【０１４２】
なお、ここでは簡単のため、図２７には近接する３次元映像表示装置として３次元映像表示装置１３ａと３次元映像表示装置１３ｂの２つの装置を示したが、３つ以上の３次元映像表示装置が近接しており、ユーザが３つ以上の３次元映像を交互に見る場合についても同様の処理が行われる。
【０１４３】
ステップＳ３０００については実施の形態２の図１８のステップＳ３１１０からステップＳ３０９０と同様であるが、ステップＳ３１８０の動作についてのみ実施の形態２と異なる。このため、以下に説明する。
【０１４４】
高頻度変化検出部３３６は、履歴記憶部３３５に記憶された１つ以上のメガネＩＤに対応付けられた観視状態が高い頻度で変化しているか否かを判定する（Ｓ３１８０）。高頻度変化検出部３３６は、履歴記憶部３３５から、現在の時刻に先行する所定時間内の時刻情報を持つメガネＩＤの情報を抽出する。所定時間は例えば１０秒とする。抽出した情報中で、観視する３次元映像表示装置が切り替わる回数が所定の頻度以上、例えば、１０秒間に３回以上検出された場合に高頻度の観視状態の変化とみなす。ただし、いずれの３次元映像表示装置も観視していない時間が所定の時間以上含まれる場合を除く。所定の時間とは例えば３秒である。ステップＳ３１８０において高頻度の観視状態の変化が検出された場合はステップＳ４０００に進む。ステップＳ３１８０において高頻度の観視状態の変化が検出されない場合は、ステップＳ３０９０に進む。
【０１４５】
このように、３次元映像を表示している３次元映像表示装置が近接して複数台存在する場合に、３次元映像表示装置の間で通信を行い、ユーザがそれぞれの３次元映像表示装置に表示された３次元映像を交互に観視する行動を高頻度に行っている状況をメガネの照合により正確に検出し、３次元映像を２次元映像に変換して表示する。これにより、映像と実空間とを交互に見るような負荷の小さい状態に対しては処理をせず、３次元映像を交互に見るという、ユーザの視聴行動による頻繁なシーンチェンジにより奥行きの変化が頻繁に発生し、疲労しやすい状態のみを回避することができ、ユーザの３次元映像視聴をできるだけ邪魔せずに、ユーザ行動によって起るユーザの疲労を軽減することができる。
【０１４６】
（実施の形態３の変形例）
実施の形態３の通信部８００は、図２２および図２３のステップＳ６０００で、当該の３次元映像表示装置に近接する別の３次元映像表示装置と通信を行い、両装置でセンシングされたユーザの観視状態を統合した。実施の形態３の変形例では、これに加えて、両装置が表示している３次元映像の奥行き情報を通信して、３次元映像表示装置間での奥行きの差が大きい場合に２Ｄ化を行う。３次元映像表示装置間での奥行きの差が小さい場合には２Ｄ化を行わず、ユーザは３次元映像の視聴を続けることができる。疲労は奥行きの差の大きい映像の切り替えを高頻度に行うことによって引き起こされる。したがって、ユーザが複数の３次元映像表示装置を交互に見ていても、奥行きの差が小さければ疲労にはつながらない。３次元映像表示装置間の奥行きの差が大きい場合にのみ２Ｄ化処理を行うことで、３Ｄ映像を視聴する価値をできるだけ損なわずに、疲労を軽減する。
【０１４７】
本変形例では、実施の形態３の図２０のように３次元映像表示装置が近接して複数存在し、ユーザ１００は、複数の３次元映像表示装置にそれぞれ独立に表示された３次元映像をかわるがわる視聴することができる。複数の３次元映像表示装置は互いに通信が可能である。
【０１４８】
図３１は本実施の形態３の変形例における３次元映像表示装置１４ａの詳細な構成の一例を示す。図３１の３次元映像表示装置は、図２１に示した３次元映像表示装置１２ａの構成において、奥行き情報蓄積部４１０が付け加わり、視聴行動検出部３００Ｂが視聴行動検出部３００Ｄに置き換わり、通信部８００が通信部８００Ａに置き換わった構成を有する。図２１と同一の構成には同一の符号を付し、適宜説明を省略する。３次元映像表示装置１４ｂは、３次元映像表示装置１４ａと同じ構成を有する。
【０１４９】
センサ２００はカメラ２０１を含む。
【０１５０】
視聴行動検出部３００Ｄは、顔抽出部３０１と、顔角度計算部３０２と、状態判定部３０３と、顔記憶部３０４と、計時部３０５と、統合処理部３４４と、履歴記憶部３２５と、高頻度変化検出部３２６とを備える。
【０１５１】
通信部８００Ａは通信制御部３２１と、送信部３４２と、受信部３４３とを備える。
【０１５２】
奥行き情報蓄積部４１０は、映像情報蓄積部４００が蓄積する３次元映像に対応する奥行き情報を記憶する。図３２は奥行き情報蓄積部４１０に記憶される奥行き情報の一例を示す図である。図３２の例では、時刻と、画像のフレーム番号と、各フレームの奥行きの最小値、最大値、中央値および画面中心の値とが記憶されている。奥行きの単位はセンチメートルであり、画面平面を０として手前側を正、奥側を負とし、標準の瞳孔間距離のユーザが画面サイズに対して標準の視聴距離から画面を観視する場合に知覚する奥行き距離を示している。
【０１５３】
送信部３４２は、顔記憶部３０４が記憶する時刻、顔ＩＤ、顔の特徴量および観視状態と、奥行き情報蓄積部４１０が記憶する奥行き情報とをあわせた送信信号を生成して送信する。受信部３４３は他の３次元映像表示装置１４ｂから送信された、時刻、顔ＩＤ、顔の特徴量、観視状態、および奥行き情報を含む信号を受信して、受信した信号に含まれる情報を統合処理部３４４に出力する。
【０１５４】
統合処理部３４４は、受信部３４３から取得した当該の３次元映像表示装置１４ａ以外の３次元映像表示装置１４ｂが表示する３次元映像の奥行き情報と、当該の３次元映像表示装置１４ａの奥行き情報蓄積部４１０に記憶された奥行き情報とを比較する。さらに当該の３次元映像表示装置１４ａ以外の３次元映像表示装置１４ｂでセンシングされた顔の情報と当該の３次元映像表示装置１４ａの顔記憶部３０４に記憶された顔の情報とを統合して、顔ごとの観視状態の履歴を生成して履歴記憶部３２５に出力する。
【０１５５】
図３３は図３１に示した３次元映像表示装置１４ａの動作の一部を示すフローチャートである。３次元映像表示装置１４ａの動作は実施の形態３の図２２のステップＳ６０００の詳細な動作が異なる以外は図２２に示した動作と同様である。図３３はステップＳ６０００の詳細な動作を示したものである。図３３は図２３に示した実施の形態３のステップＳ６０１０からステップＳ６０４０の動作にステップＳ６０２５が付け加わった以外は図２３と同様である。図２３と同じ動作には同じ符号を付し、適宜説明を省略する。以下本変形例におけるステップＳ６０００の動作を図３３に従って説明する。
【０１５６】
ステップＳ１０００で３次元映像表示装置１４ａが動作を開始する。受信部３４３は受信を開始する（Ｓ６０１０）。受信部３４３が受信する信号はたとえば、Ｂｌｕｅｔｏｏｔｈ（登録商標）等の無線通信によって通信されている。信号の内容は例えば、図３４のように、先頭から、３次元映像表示装置１４ｂを識別する表示装置ＩＤと、画像の表示時刻と、表示した画像の奥行き情報と、信号を送信する３次元映像表示装置１４ｂによってセンシングされた顔を識別する顔ＩＤおよび顔の特徴量と、顔がセンシングされた時刻と、顔がセンシングされた時点で信号を送信した３次元映像表示装置１４ｂを観視していたか否かを示す観視状態の情報とを含む。送信元の３次元映像表示装置１４ｂが複数の顔をセンシングしている場合は複数の顔の情報が送信される。受信部３４３は信号形式の合致する無線信号を待機する（Ｓ６０２０）。ステップＳ６０２０において信号を受信すると（Ｓ６０２０でＹｅｓ）、受信部３４３は、受信した信号に含まれる情報を統合処理部３４４へ出力し、ステップＳ６０２５へ進む。ステップＳ６０２０において信号を受信していない場合（Ｓ６０２０でＮｏ）は、ステップＳ６０２０を繰り返す。
【０１５７】
ステップＳ６０２５では、統合処理部３４４はステップＳ６０２０で受信部３４３が受信した信号に含まれる、３次元映像表示装置１４ｂの奥行き情報と、当該の３次元映像表示装置１４ａの奥行き情報蓄積部４１０に記憶された現在時刻の奥行き情報とを比較する（Ｓ６０２５）。比較の方法は、例えば、奥行きの最小値の差の絶対値と、奥行きの最大値の差の絶対値と、奥行きの中央値の差の絶対値と、画面中心の奥行きの差の絶対値とを合計した値が所定の値より大きい場合は当該の３次元映像表示装置１４ａが表示した映像の奥行きと、ステップＳ６０２０で受信した信号の送信元の３次元映像表示装置１４ｂが表示した映像の奥行きとの差が大きいと判断し、上述の合計値が所定の値以下である場合は当該の３次元映像表示装置１４ａが表示した映像の奥行きと送信元の３次元映像表示装置１４ｂが表示した映像の奥行きとの差が小さいと判断する。所定の値は例えば４００ｃｍである。ステップＳ６０２５において、上述の合計値が所定の値より大きい場合（Ｓ６０２５においてＹｅｓ）は、ステップＳ６０３０に進む。ステップＳ６０２５において上述の合計値が所定の値以下である場合（Ｓ６０２５においてＮｏ）は、ステップＳ６０２０に戻る。
【０１５８】
ステップＳ６０３０では、統合処理部３４４は、ステップＳ６０２０で受信部３２３が受信した信号に含まれる、当該の３次元映像表示装置１４ａに近接する３次元映像表示装置１４ｂが記憶する顔の観視状態の情報と、当該の３次元映像表示装置１４ａの顔記憶部３０４に記憶された顔の観視状態の情報とを統合し（Ｓ６０３０）、履歴記憶部３２５に記憶する（Ｓ６０４０）。ステップＳ６０４０の後、ステップＳ６０２０へ戻り、ステップＳ６０２０からステップＳ６０４０を繰り返して、３次元映像表示装置１４ａは、近接の３次元映像表示装置１４ｂとの通信によりユーザの観視状態の履歴を生成して記憶する。
【０１５９】
このように、３次元映像を表示している３次元映像表示装置が近接して複数台存在する場合に、３次元映像表示装置の間で通信を行う。それぞれの３次元映像表示装置が表示している映像の奥行きに差があり、ユーザが複数の３次元映像表示装置を交互に観視した場合に疲労しやすい状態である場合にのみ、ユーザが複数の３次元映像表示装置を交互に観視している状態を検出する。交互に観視している状態が検出された場合に、３次元映像を２次元映像に変換して表示する。これにより、ユーザの視聴行動による頻繁なシーンチェンジにより奥行きの変化が頻繁に発生する、疲労しやすい状態のみを回避し、複数の３次元映像表示装置を交互に見ても疲労が起りにくい状態の場合には３次元映像を視聴する楽しみや利便を妨げないようにすることができる。
【０１６０】
なお、ここでは実施の形態３の変形例を説明したが、実施の形態４を同様に変形することができる。本変形例と同様に、図２７に示す実施の形態４に係る３次元映像表示装置１３ａは、さらに、奥行き情報蓄積部４１０を備え、送信部３２２を送信部３４２に、受信部３２３を受信部３４３に、統合処理部３３４を統合処理部３４４にそれぞれ置き換えた構成としても良い。また、ステップＳ６０００の動作にステップＳ６０２５を追加し、ステップＳ６０３０で当該の３次元映像表示装置１３ａを観視するユーザが装着した３次元映像用メガネ５０の情報と、信号の送信元の３次元映像表示装置１３ｂを観視するユーザの３次元映像用メガネ５０の情報とを統合する前に、当該の３次元映像表示装置１３ａが表示する映像の奥行きと、信号の送信元の３次元映像表示装置１３ｂが表示する映像の奥行きとの差の大きさを判断する。３次元映像表示装置間の奥行きの差が大きい場合には３次元映像を２次元映像に変換して表示する。奥行きの差が小さい場合には、３次元映像のまま表示する。
【０１６１】
なお、本変形例では、疲労を防ぐ奥行き平滑化処理として、３次元映像を２次元映像に変換して表示するものとしたが、複数の３次元映像表示装置の奥行きの差を小さくする処理であれば、これ以外の方法であっても良い。例えば、ユーザが交互に観視している３次元映像表示装置のすべての映像の奥行きを、交互に観視している３次元映像表示装置に表示される映像の奥行きの平均値に揃える等の方法である。
【０１６２】
なお、本変形例において、奥行き情報蓄積部４１０に記憶する奥行き情報と、通信部８００Ａが通信する奥行き情報とは、特定時刻に表示された画像の奥行き情報であり、奥行きは最小値と最大値と中央値と画面中心の値とであったが、これ以外の情報としてもよい。特定時刻は３次元映像表示装置１４ａが動作中の特定の時刻を指すが、時刻は特定の時刻でなく、一定の時間範囲を持つものとしても良い。特定の時刻は、３次元映像表示装置１４ａが動作中の特定の時刻を開始点、中心点または終了点とする一定の時間範囲でも良く、その場合の奥行き情報は、奥行きの時間平均や中央値等の時間範囲内の奥行き情報の代表値としても良い。また、奥行き情報は最小値と最大値のみ、あるいは中央値のみ、画面中心の値のみ、あるいはオブジェクトごとの奥行き情報等でも良い。
【０１６３】
なお、実施の形態１、実施の形態２、実施の形態３および実施の形態４において、高頻度変化検出部は所定時間、例えば１０秒、あたり、所定の回数、例えば３回、以上観視状態の変化が検出された場合に高頻度の観視状態の変化とみなすとしたが、高頻度の観視状態の変化を判断する値はこれ以外の値でも良い。高頻度の観視状態の変化が、映像を観視するユーザに好ましくない影響を及ぼす可能性についての参考事例として、非特許文献４に記載されるような光過敏性発作あるいは光感受性反応を考慮したガイドラインがある。
【０１６４】
非特許文献４の基準は光の点滅による視聴者への影響を低減するためのガイドラインであるが、非特許文献４の項目２において、急激なカットチェンジについて言及している。カットチェンジ（シーンチェンジ）により、奥行き情報も急峻に変化することを考慮すると、非特許文献４に指摘された「１／３秒に１回」を超える頻度を高頻度の観視状態の変化とするのが望ましい。なお、非特許文献４に記載の基準を、ユーザが同一の３次元映像を見ている場合の基準とすることも可能である。たとえば、同一の３次元映像内で「１／３秒に１回」を超える頻度でシーンチェンジが生じた場合には、高頻度変化検出部は、ユーザに対して、眼の疲労を引き起こす可能性がある旨の警告を行ってもよい。また、制御部は、その３次元映像の表示を停止させてもよい。
【０１６５】
なお、実施の形態３の変形例において、統合処理部３４４は当該の３次元映像表示装置が表示している３次元映像の奥行き情報と、他の近接する３次元映像表示装置が表示している奥行き情報とを比較する。比較方法の例として、奥行きの最小値の差の絶対値と、奥行きの最大値の差の絶対値と、奥行きの中央値の差の絶対値と、画面中心の奥行きの差の絶対値とを合計した値が所定の値より大きい場合に２つの３次元映像表示装置が表示する３次元映像の奥行きの差が大きいと判断するものとしたが、奥行きの差を用いる以外に、輻輳角の差に基づいて奥行きの差を判断するものとしても良い。例えば、非特許文献５では、１画面内の奥行きの差は視差角が１度以内にすることと、画面に対する相対的な奥行きは画面幅に対して２％程度以下にすることとが推奨されている。そこで、統合処理部は当該の３次元映像表示装置が表示している３次元映像の奥行き情報と、他の近接する３次元映像表示装置が表示している奥行き情報とを以下のようにして比較する。例えば、統合処理部は、当該の３次元映像表示装置と他の近接する３次元映像表示装置が表示している映像について、それぞれの画面中央部の奥行きに対する標準視聴位置からの輻輳角を求める。統合処理部は、輻輳角の差、すなわちそれぞれの画面中央を見比べた場合の視差角が１度以上になる場合に、２つの３次元映像表示装置が表示する３次元映像の奥行きの差が大きいと判断することができる。また、画面中央部ではなく、それぞれの装置に表示される映像の最も奥行きの小さい部分すなわち最も手前に見える部分に対する輻輳角を求めて、両画面を見比べる際の視差角を求めて、奥行きの差を判断しても良い。これ以外にも、それぞれの装置に表示される映像の奥行きの平均に対する輻輳角から視差角を求めるものとしても良い。
【０１６６】
なお、本開示のすべての実施の形態とその変形例において、近接する複数の３次元映像表示装置の表示をユーザが観視する例としたが、複数の画面で複数の３次元映像を並行して表示可能なシステムにおいても同様である。複数の画面は、複数のディスプレイ装置によって実現してもよいが、１つのディスプレイの画面を複数の領域に分割して表示することで実現しても良い。つまり、本開示において複数の３次元映像表示装置とは、１つのディスプレイ装置に表示された複数の３次元映像の表示画面をも意味するものとする。
【０１６７】
医療現場あるいは医学教育の現場においては、ＣＴ（Ｃｏｍｐｕｔｅｄ  Ｔｏｍｏｇｒａｐｈｙ）やＭＲＩ（Ｍａｇｎｅｔｉｃ  Ｒｅｓｏｎａｎｃｅ  Ｉｍａｇｉｎｇ）等の画像診断装置のデータから合成された３次元画像の利用が成されている。一方、手術においては内視鏡手術や遠隔手術等で３次元映像の利用が行われている。医療現場においては、術前術後のカンファレンス等で患者の状態及び治療方針を話し合う際に、上記の画像診断装置のデータから合成された複数種類の３次元映像を見比べることは有用である。また、３次元の手術映像と合成３次元映像とを見比べて検討することは有用である。患者への説明の際にも複数の画面に異なる３Ｄ映像を表示して、より分かりやすく説明することができる。医学教育においては、術前に撮像された画像から合成された３次元の映像を、回転させたりズームさせたりすることにより、多方向から確認しながら、実際の手術映像を確認していくことは有用である。このような複数の３次元映像を同時に表示して利用する場面において、本開示は有効である。
【０１６８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の３次元映像表示装置などを実現するソフトウェアは、次のようなプログラムである。
【０１６９】
すなわち、このプログラムは、コンピュータに、複数の３次元映像表示装置を交互に観視するユーザの観視状態が、所定時間あたり所定の回数以上変化したか否かを検出する視聴行動検出ステップと、前記視聴行動検出ステップにおいて前記ユーザの観視状態が前記所定時間あたり前記所定回数以上変化したことが検出された場合に、画像表示部に表示する３次元映像のユーザによる観視を制限するための処理を行う制御ステップとを実行させる。
【０１７０】
以上、本発明の一つまたは複数の態様に係る３次元映像表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１７１】
本発明は、３次元映像を視聴する画像表示装置に広く利用可能であり、テレビ、コンピュータ、ゲームの表示画面等で３次元映像を表示する際に有用である。コンテンツ視聴のみでなく、画像診断装置や内視鏡等の医療機器の画像表示や、手術や乗り物のシミュレーション等ゲームや教育訓練用のシステム等の用途に応用できる。
【符号の説明】
【０１７２】
１０、１０ａ、１０ｂ、１１、１１ａ、１１ｂ、１２ａ、１２ｂ、１３ａ、１３ｂ、１４ａ、１４ｂ  ３次元映像表示装置
３０、５０  ３次元映像用メガネ
１００  ユーザ
２００、２００Ａ  センサ
２０１  カメラ
２１１、２１１ａ、２１１ｂ  受光部
２１２  発光部
３００、３００Ａ、３００Ｂ、３００Ｃ、３００Ｄ  視聴行動検出部
３０１  顔抽出部
３０２  顔角度計算部
３０３  状態判定部
３０４  顔記憶部
３０５、３１４  計時部
３０６、３１６、３２６、３３６  高頻度変化検出部
３１１  入射角計測部
３１２  状態判定部
３１３  メガネ特定部
３１５  状態記憶部
３２１  通信制御部
３２２、３４２、６３４  送信部
３２３、３４３、６４１  受信部
３２４、３３４、３４４  統合処理部
３２５、３３５  履歴記憶部
４００  映像情報蓄積部
４１０  奥行き情報蓄積部
５００  制御部
６００  画像表示部
６０１、６１１、６３１  画像制御部
６０２、６１２、６３２  画像処理部
６０３、６１３、６３３  表示部
６２１、６４３、７００  シャッタ
６４２  シャッタ制御部
８００、８００Ａ  通信部
【図１】
2014010191.tif 000004
【図２】
2014010191.tif 000005
【図３】
2014010191.tif 000006
【図４】
2014010191.tif 000007
【図５】
2014010191.tif 000008
【図６】
2014010191.tif 000009
【図７】
2014010191.tif 000010
【図８】
2014010191.tif 000011
【図９】
2014010191.tif 000012
【図１０Ａ】
2014010191.tif 000013
【図１０Ｂ】
2014010191.tif 000014
【図１０Ｃ】
2014010191.tif 000015
【図１１】
2014010191.tif 000016
【図１２】
2014010191.tif 000017
【図１３】
2014010191.tif 000018
【図１４】
2014010191.tif 000019
【図１５】
2014010191.tif 000020
【図１６】
2014010191.tif 000021
【図１７】
2014010191.tif 000022
【図１８】
2014010191.tif 000023
【図１９Ａ】
2014010191.tif 000024
【図１９Ｂ】
2014010191.tif 000025
【図２０】
2014010191.tif 000026
【図２１】
2014010191.tif 000027
【図２２】
2014010191.tif 000028
【図２３】
2014010191.tif 000029
【図２４】
2014010191.tif 000030
【図２５】
2014010191.tif 000031
【図２６】
2014010191.tif 000032
【図２７】
2014010191.tif 000033
【図２８】
2014010191.tif 000034
【図２９】
2014010191.tif 000035
【図３０】
2014010191.tif 000036
【図３１】
2014010191.tif 000037
【図３２】
2014010191.tif 000038
【図３３】
2014010191.tif 000039
【図３４】
2014010191.tif 000040
【国際調査報告】
2014010191.tif 000041
2014010191.tif 000042